(57)【特許請求の範囲】
【請求項１】
貨幣を計数する貨幣処理本体装置と、該貨幣処理本体装置と通信可能に接続され、貨幣を収納する貨幣処理装置とを含む貨幣管理システムであって、
前記貨幣処理本体装置は、
計数された貨幣を収納する収納部と、
前記収納部に収納された貨幣の移動先を指定する収納先指定手段と、
前記収納先指定手段により前記貨幣処理装置が移動先として指定された場合に、貨幣を計数した結果に係る計数情報を前記貨幣処理装置に送信する送信手段と
を備え、
前記貨幣処理装置は、
前記貨幣処理本体装置から送信された前記計数情報を受信する受信手段と、
前記貨幣処理装置に収納された貨幣の数量を特定する数量特定手段と、
前記受信手段により受信した前記計数情報と、前記数量特定手段により特定した収納された貨幣の数量との整合性を判定する判定手段と
を備えたことを特徴とする貨幣管理システム。
【請求項２】
前記送信手段は、
前記収納先指定手段により前記貨幣処理装置の収納部に収納する貨幣の数量としてゼロ以外の数量が指定された場合には、前記収納先指定手段により指定された前記貨幣処理装置に収納する貨幣の数量を前記計数情報として前記貨幣処理装置に送信する
ことを特徴とする請求項１に記載の貨幣管理システム。
【請求項３】
前記計数情報は、
計数した貨幣の合計金額又は前記収納先指定手段により指定された前記貨幣処理装置に収納する貨幣の合計金額の情報を含む
ことを特徴とする請求項１又は２に記載の貨幣管理システム。
【請求項４】
前記計数情報は、
計数した貨幣の金種別の数量又は前記収納先指定手段により指定された前記貨幣処理装置に収納する貨幣の金種別の数量の情報を含む
ことを特徴とする請求項１〜３のいずれか一つに記載の貨幣管理システム。
【請求項５】
前記貨幣処理本体装置は、
計数した貨幣の識別情報を取得する計数貨幣識別情報取得手段
をさらに備え、
前記送信手段は、
前記計数貨幣識別情報取得手段により取得した計数した貨幣の識別情報を含む前記計数情報を前記貨幣処理装置に送信し、
前記貨幣処理装置は、
前記貨幣処理装置に収納する貨幣の識別情報を取得する収納貨幣識別情報取得手段と、
前記受信手段により受け付けた前記計数情報に含まれる貨幣の識別情報と、前記収納貨幣識別情報取得手段により取得した収納する貨幣の識別情報とが一致するか否かを判定する識別情報一致判定手段と
をさらに備えたことを特徴とする請求項１〜４のいずれか一つに記載の貨幣管理システム。
【請求項６】
前記貨幣処理装置は、
前記受信手段により前記計数情報を受信してから所定時間が経過しても該計数情報に応じた貨幣の収納が行われていない場合に、収納が完了していない旨を報知する報知手段
をさらに備えたことを特徴とする請求項１〜５のいずれか一つに記載の貨幣管理システム。
【請求項７】
バラ硬貨収納部と棒金収納部を有する貨幣処理本体装置であって、
前記棒金収納部から前記バラ硬貨収納部へ硬貨を移動させるよう指示する移動先指定手段と、
前記移動先指定手段で指定された棒金を回収する棒金回収手段と、
前記棒金回収手段により回収される棒金をなす硬貨の数量を特定する回収数量特定手段と、
前記棒金回収手段により回収された棒金の包装を解いて、前記バラ硬貨収納部に収納するバラ硬貨収納手段と、
前記バラ硬貨収納手段により収納されるバラ硬貨の数量を特定する収納数量特定手段と、
前記回収数量特定手段により特定した回収される棒金をなす硬貨の数量と、前記収納数量特定手段により特定されるバラ硬貨の数量との整合性を判定する判定手段と
を備えたことを特徴とする貨幣処理本体装置。
【請求項８】
バラ硬貨収納部と棒金収納部を有する貨幣処理本体装置であって、
前記バラ硬貨収納部から前記棒金収納部へ硬貨を移動させるよう指示する移動先指定手段と、
前記移動先指定手段で指定されたバラ硬貨を回収するバラ硬貨回収手段と、
前記バラ硬貨回収手段により回収されるバラ硬貨の数量を特定する回収数量特定手段と、
前記バラ硬貨回収手段により回収されたバラ硬貨を包装して棒金とし、前記棒金収納部に収納する棒金収納手段と、
前記棒金収納手段により収納される棒金をなす硬貨の数量を特定する収納数量特定手段と、
前記回収数量特定手段により特定した回収されるバラ硬貨の数量と、前記収納数量特定手段により特定される棒金をなす硬貨の数量との整合性を判定する判定手段と
を備えたことを特徴とする貨幣処理本体装置。
【請求項９】
バラ紙幣収納部と束紙幣収納部を有する貨幣処理本体装置であって、
前記束紙幣収納部から前記バラ紙幣収納部へ紙幣を移動させるよう指示する移動先指定手段と、
前記移動先指定手段で指定された束紙幣を回収する束紙幣回収手段と、
前記束紙幣回収手段により回収される束紙幣をなす紙幣の数量を特定する回収数量特定手段と、
前記束紙幣回収手段により回収された束紙幣の包装を解いて、前記バラ紙幣収納部に収納するバラ紙幣収納手段と、
前記バラ紙幣収納手段により収納されるバラ紙幣の数量を特定する収納数量特定手段と、
前記回収数量特定手段により特定した回収される束紙幣をなす紙幣の数量と、前記収納数量特定手段により特定されるバラ紙幣の数量との整合性を判定する判定手段と
を備えたことを特徴とする貨幣処理本体装置。
【請求項１０】
バラ紙幣収納部と束紙幣収納部を有する貨幣処理本体装置であって、
前記バラ紙幣収納部から前記束紙幣収納部へ紙幣を移動させるよう指示する移動先指定手段と、
前記移動先指定手段で指定されたバラ紙幣を回収するバラ紙幣回収手段と、
前記バラ紙幣回収手段により回収されるバラ紙幣の数量を特定する回収数量特定手段と、
前記バラ紙幣回収手段により回収されたバラ紙幣を包装して束紙幣とし、前記束紙幣収納部に収納する束紙幣収納手段と、
前記束紙幣収納手段により収納される束紙幣をなす紙幣の数量を特定する収納数量特定手段と、
前記回収数量特定手段により特定した回収されるバラ紙幣の数量と、前記収納数量特定手段により特定される束紙幣をなす紙幣の数量との整合性を判定する判定手段と
を備えたことを特徴とする貨幣処理本体装置。
【請求項１１】
貨幣を計数するとともに貨幣を収納する貨幣処理本体装置と、該貨幣処理本体装置と通信可能に接続され、貨幣を収納するとともに収納されている貨幣の数量を検知する貨幣処理装置とを含む貨幣管理システムであって、
前記貨幣処理本体装置に収納されている貨幣の数量と前記貨幣処理装置に収納されている貨幣の数量とを記憶する記憶手段と、
前記貨幣処理本体装置に収納された貨幣の移動先を指定する収納先移動手段と、
前記収納先移動手段により指定された貨幣を計数するとともに計数された計数結果を取得する計数結果取得手段と、
前記貨幣処理装置により検知された収納されている貨幣の数量を取得する収納数量取得手段と、
前記計数結果取得手段により取得された前記計数結果に基づいて前記記憶手段に記憶される前記貨幣処理本体装置に収納されている貨幣の数量を更新し、前記収納数量取得手段により取得された前記貨幣処理装置で検知された収納されている貨幣の数量に基づいて前記記憶手段に記憶される前記貨幣処理装置に収納されている貨幣の数量を更新する更新手段と
を備えたことを特徴とする貨幣管理システム。
【請求項１２】
貨幣を計数するとともに貨幣を収納部に収納する貨幣処理本体装置と、該貨幣処理本体装置と通信可能に接続され、貨幣を収納する貨幣処理装置とを含む貨幣管理システムにおける貨幣管理方法であって、
前記収納部に収納された貨幣の移動先を指定する収納先指定ステップと、
前記収納先指定ステップにより前記貨幣処理装置が移動先として指定されたた場合に、前記貨幣処理本体装置における貨幣を計数した結果に係る計数情報を前記貨幣処理装置に送信する送信ステップと、
前記貨幣処理装置における前記送信ステップにより送信された前記計数情報を受信する受信ステップと、
前記貨幣処理装置に収納された貨幣の数量を特定する数量特定ステップと、
前記受信ステップにより受信した前記計数情報と、前記数量特定ステップにより特定した収納された貨幣の数量との整合性を判定する判定ステップと
を含んだことを特徴とする貨幣管理方法。
【発明の詳細な説明】
【技術分野】
【０００１】
この発明は、金融機関等の営業店等に配設される出納機と現金管理装置の間若しくは貨幣処理本体装置内で貨幣を移動することができる貨幣管理システム、貨幣処理本体装置及び貨幣管理方法に関する。
【背景技術】
【０００２】
従来、銀行などの金融機関等の営業店等には、窓口担当者及び出納係等が貨幣の入出金を行う「出納機」と呼ばれる装置と、出納係が出納機から回収した貨幣を収納する「現金管理装置」と呼ばれる装置とが設けられることが多い。
【０００３】
この出納機には、バラ硬貨と、金種別に５０枚単位で筒状に包装された硬貨（以下、「棒金」と言う）と、バラ紙幣と、金種別に１００枚単位で帯封により結束された紙幣（以下、「束紙幣」と言う）とが収納されている。例えば、窓口担当者が窓口業務を行ううえで、ある金種の硬貨が不足する状況が生じたならば、この窓口担当者の操作により出納機から所望の金種の棒金が出金される。
【０００４】
また、出納機の収納部に収納された貨幣がいわゆるニアフル状態（過剰状態）となった場合には、出納係が出納機から余剰分の貨幣を出金するとともに、該出金した貨幣が出納係によって現金管理装置に入金されることになる。あるいは出納係は余剰分の貨幣を出納機内で収納可能な別の収納部に移動させることになる。
【０００５】
ここで、かかる出納機からの貨幣の出金と現金管理装置への貨幣の入金は、通常、出納係による手作業で行われるため、出納機から出金された貨幣が正しく現金管理装置に入金されたか否かを検証する技術が知られている。例えば、特許文献１には、出納機から貨幣を出金する際に連携番号が印刷されたレシートを発行し、出金された貨幣を現金管理装置に入金する際に連携番号を入力することによって出納機から連携番号に対応する出金額を取得して、現金管理装置への入金額との整合性を検証する技術が開示されている。
【先行技術文献】
【特許文献】
【０００６】
【特許文献１】特許第５４４２３９９号
【発明の概要】
【発明が解決しようとする課題】
【０００７】
しかしながら、出納機の収納部のニアフル状態を回避する等の理由で出納機の収納部に収納された貨幣を現金管理装置に移動する場合に、出納機から出金した貨幣を全額現金管理装置に入金するのにもかかわらず、貨幣を移動する担当者は、出納機で出金指示操作と、現金管理装置で入金指示操作を別々に行わなければならず非効率であるという問題がある。また、例えば、出納機内のバラ硬貨が少なくなった場合に棒金を取り出して、バラ硬貨として補充する場合に、出納係は出納機から棒金の回収指示操作を行い、取り出した棒金の包装を解いて入金指示操作を行う必要がある。上記の操作は通常、出納係による手作業で行われるため、出納機から出金された貨幣が正しく出納機内の別の収納部に入金されたかどうかが不明であるという問題がある。
【０００８】
具体的には、上記特許文献１によれば、貨幣を移動する担当者は、現金管理装置における入金指示操作において出納機で発行されたレシートに印刷された連携番号を入力することによって、入金する貨幣の金種別の数量などを入力する手間は軽減されるものの、連携番号を入力する手間を省略することはできない。また、貨幣を移動する担当者は、連携番号を入力する以前に、自分のＩＤカードを現金管理装置で読み込ませて暗証番号を入力する等の認証操作や、メニュー画面で入金処理を選択する等の操作をしなければならない。
【０００９】
これらのことから、金融機関等の営業店等に配設される出納機と現金管理装置との間で貨幣を移動する場合や出納機内の貨幣を移動する場合に、いかにして円滑かつ効率良く貨幣を移動するかが重要な課題となっている。
【００１０】
本発明は、上記の従来技術の課題を解決するためになされたものであって、金融機関等の営業店等に配設される出納機と現金管理装置との間若しくは貨幣処理本体装置内で貨幣を円滑かつ効率良く移動することができる貨幣管理システム、貨幣処理本体装置及び貨幣管理方法を提供することを目的とする。なお、以下に示す貨幣管理装置とは、単体で使用される出納機、現金管理装置を含む貨幣を入出金することができる装置である。
【課題を解決するための手段】
【００１１】
上述した課題を解決し、目的を達成するため、本発明は、貨幣を計数する貨幣処理本体装置と、該貨幣処理本体装置と通信可能に接続され、貨幣を収納する貨幣処理装置とを含む貨幣管理システムであって、前記貨幣処理本体装置は、計数された貨幣を収納する収納部と、前記収納部に収納された貨幣の移動先を指定する収納先指定手段と、前記収納先指定手段により前記貨幣処理装置が移動先として指定された場合に、貨幣を計数した結果に係る計数情報を前記貨幣処理装置に送信する送信手段とを備え、前記貨幣処理装置は、前記貨幣処理本体装置から送信された前記計数情報を受信する受信手段と、前記貨幣処理装置に収納された貨幣の数量を特定する数量特定手段と、前記受信手段により受信した前記計数情報と、前記数量特定手段により特定した収納された貨幣の数量との整合性を判定する判定手段とを備えたことを特徴とする。
【００１２】
また、本発明は、上記発明において、前記送信手段は、前記収納先指定手段により前記貨幣処理装置の収納部に収納する貨幣の数量としてゼロ以外の数量が指定された場合には、前記収納先指定手段により指定された前記貨幣処理装置に収納する貨幣の数量を前記計数情報として前記貨幣処理装置に送信することを特徴とする。
【００１３】
また、本発明は、上記発明において、前記計数情報は、計数した貨幣の合計金額又は前記収納先指定手段により指定された前記貨幣処理装置に収納する貨幣の合計金額の情報を含むことを特徴とする。
【００１４】
また、本発明は、上記発明において、前記計数情報は、計数した貨幣の金種別の数量又は前記収納先指定手段により指定された前記貨幣処理装置に収納する貨幣の金種別の数量の情報を含むことを特徴とする。
【００１５】
また、本発明は、上記発明において、前記貨幣処理本体装置は、計数した貨幣の識別情報を取得する計数貨幣識別情報取得手段をさらに備え、前記送信手段は、前記計数貨幣識別情報取得手段により取得した計数した貨幣の識別情報を含む前記計数情報を前記貨幣処理装置に送信し、前記貨幣処理装置は、前記貨幣処理装置に収納する貨幣の識別情報を取得する収納貨幣識別情報取得手段と、前記受信手段により受け付けた前記計数情報に含まれる貨幣の識別情報と、前記収納貨幣識別情報取得手段により取得した収納する貨幣の識別情報とが一致するか否かを判定する識別情報一致判定手段とをさらに備えたことを特徴とする。
【００１６】
また、本発明は、上記発明において、前記貨幣処理装置は、前記受信手段により前記計数情報を受信してから所定時間が経過しても該計数情報に応じた貨幣の収納が行われていない場合に、収納が完了していない旨を報知する報知手段をさらに備えたことを特徴とする。
【００１７】
また、本発明は、バラ硬貨収納部と棒金収納部を有する貨幣処理本体装置であって、前記棒金収納部から前記バラ硬貨収納部へ硬貨を移動させるよう指示する移動先指定手段と、前記移動先指定手段で指定された棒金を回収する棒金回収手段と、前記棒金回収手段により回収される棒金をなす硬貨の数量を特定する回収数量特定手段と、前記棒金回収手段により回収された棒金の包装を解いて、前記バラ硬貨収納部に収納するバラ硬貨収納手段と、前記バラ硬貨収納手段により収納されるバラ硬貨の数量を特定する収納数量特定手段と、前記回収数量特定手段により特定した回収される棒金をなす硬貨の数量と、前記収納数量特定手段により特定されるバラ硬貨の数量との整合性を判定する判定手段とを備えたことを特徴とする。
また、本発明は、バラ硬貨収納部と棒金収納部を有する貨幣処理本体装置であって、前記バラ硬貨収納部から前記棒金収納部へ硬貨を移動させるよう指示する移動先指定手段と、前記移動先指定手段で指定されたバラ硬貨を回収するバラ硬貨回収手段と、前記バラ硬貨回収手段により回収されるバラ硬貨の数量を特定する回収数量特定手段と、前記バラ硬貨回収手段により回収されたバラ硬貨を包装して棒金とし、前記棒金収納部に収納する棒金収納手段と、前記棒金収納手段により収納される棒金をなす硬貨の数量を特定する収納数量特定手段と、前記回収数量特定手段により特定した回収されるバラ硬貨の数量と、前記収納数量特定手段により特定される棒金をなす硬貨の数量との整合性を判定する判定手段とを備えたことを特徴とする。
また、本発明は、バラ紙幣収納部と束紙幣収納部を有する貨幣処理本体装置であって、前記束紙幣収納部から前記バラ紙幣収納部へ紙幣を移動させるよう指示する移動先指定手段と、前記移動先指定手段で指定された束紙幣を回収する束紙幣回収手段と、前記束紙幣回収手段により回収される束紙幣をなす紙幣の数量を特定する回収数量特定手段と、前記束紙幣回収手段により回収された束紙幣の包装を解いて、前記バラ紙幣収納部に収納するバラ紙幣収納手段と、前記バラ紙幣収納手段により収納されるバラ紙幣の数量を特定する収納数量特定手段と、前記回収数量特定手段により特定した回収される束紙幣をなす紙幣の数量と、前記収納数量特定手段により特定されるバラ紙幣の数量との整合性を判定する判定手段とを備えたことを特徴とする。
また、本発明は、バラ紙幣収納部と束紙幣収納部を有する貨幣処理本体装置であって、前記バラ紙幣収納部から前記束紙幣収納部へ紙幣を移動させるよう指示する移動先指定手段と、前記移動先指定手段で指定されたバラ紙幣を回収するバラ紙幣回収手段と、前記バラ紙幣回収手段により回収されるバラ紙幣の数量を特定する回収数量特定手段と、前記バラ紙幣回収手段により回収されたバラ紙幣を包装して束紙幣とし、前記束紙幣収納部に収納する束紙幣収納手段と、前記束紙幣収納手段により収納される束紙幣をなす紙幣の数量を特定する収納数量特定手段と、前記回収数量特定手段により特定した回収されるバラ紙幣の数量と、前記収納数量特定手段により特定される束紙幣をなす紙幣の数量との整合性を判定する判定手段とを備えたことを特徴とする。
【００１８】
また、本発明は、貨幣を計数するとともに貨幣を収納する貨幣処理本体装置と、該貨幣処理本体装置と通信可能に接続され、貨幣を収納するとともに収納されている貨幣の数量を検知する貨幣処理装置とを含む貨幣管理システムであって、前記貨幣処理本体装置に収納されている貨幣の数量と前記貨幣処理装置に収納されている貨幣の数量とを記憶する記憶手段と、前記貨幣処理本体装置に収納された貨幣の移動先を指定する収納先移動手段と、前記収納先移動手段により指定された貨幣を計数するとともに計数された計数結果を取得する計数結果取得手段と、前記貨幣処理装置により検知された収納されている貨幣の数量を取得する収納数量取得手段と、前記計数結果取得手段により取得された前記計数結果に基づいて前記記憶手段に記憶される前記貨幣処理本体装置に収納されている貨幣の数量を更新し、前記収納数量取得手段により取得された前記貨幣処理装置で検知された収納されている貨幣の数量に基づいて前記記憶手段に記憶される前記貨幣処理装置に収納されている貨幣の数量を更新する更新手段とを備えたことを特徴とする。
【００１９】
また、本発明は、貨幣を計数するとともに貨幣を収納部に収納する貨幣処理本体装置と、該貨幣処理本体装置と通信可能に接続され、貨幣を収納する貨幣処理装置とを含む貨幣管理システムにおける貨幣管理方法であって、前記収納部に収納された貨幣の移動先を指定する収納先指定ステップと、前記収納先指定ステップにより前記貨幣処理装置が移動先として指定されたた場合に、前記貨幣処理本体装置における貨幣を計数した結果に係る計数情報を前記貨幣処理装置に送信する送信ステップと、前記貨幣処理装置における前記送信ステップにより送信された前記計数情報を受信する受信ステップと、前記貨幣処理装置に収納された貨幣の数量を特定する数量特定ステップと、前記受信ステップにより受信した前記計数情報と、前記数量特定ステップにより特定した収納された貨幣の数量との整合性を判定する判定ステップとを含んだことを特徴とする。
【発明の効果】
【００２０】
本発明によれば、金融機関等の営業店等に配設される貨幣処理本体装置内で貨幣を円滑かつ効率良く移動することができる。
【図面の簡単な説明】
【００２１】
【図１】図１は、実施例１に係る出納機から現金管理装置への貨幣の移動処理の概要を説明するための図である。
【図２】図２は、実施例１に係る貨幣管理システムに含まれる出納機及び現金管理装置の外観構成を示す斜視図である。
【図３】図３は、図２に示した出納機の実施例１に係るバラ紙幣処理部及び束紙幣処理部の内部の論理構成を説明するための図である。
【図４】図４は、図２に示した出納機の実施例１に係るバラ硬貨処理部及び包装硬貨処理部の内部の論理構成を説明するための図である。
【図５】図５は、図２に示した出納機の実施例１に係る機能的な内部構成を示すブロック図である。
【図６】図６は、図５に示した出納機の実施例１に係るデータ構成を示す図である。
【図７】図７は、図２に示した現金管理装置の紙幣収納ドロアの実施例１に係る物理的な構成を示す図である。
【図８】図８は、図２に示した現金管理装置の硬貨収納ドロアの実施例１に係る物理的な構成を示す図である。
【図９】図９は、図２に示した現金管理装置の実施例１に係る機能的な内部構成を示すブロック図である。
【図１０】図１０は、図９に示した現金管理装置の実施例１に係るデータ構成を示す図である。
【図１１】図１１は、図２に示した出納機及び現金管理装置の間で実施例１に係る紙幣の移動のパターンを説明するための図である。
【図１２】図１２は、図２に示した出納機及び現金管理装置の間で実施例１に係る硬貨の移動のパターンを説明するための図である。
【図１３】図１３は、図２に示した出納機において出納機に収納されている貨幣の現金管理装置への移動に係る画面の構成及び画面遷移について、出納機の棒金一括収納部に収納されている棒金を出納機の棒金収納部及び現金管理装置の硬貨収納ドロアに移動する処理時に表示される画面構成及び画面遷移を例として説明するための図である。
【図１４】図１４は、図２に示した出納機で行われる実施例１に係る出納機から現金管理装置への貨幣の移動処理の処理手順を示すフローチャートである。
【図１５】図１５は、図２に示した現金管理装置で行われる実施例１に係る出納機から現金管理装置への貨幣の移動処理の処理手順を示すフローチャートである。
【図１６】図１６は、図２に示した出納機で行われる実施例１に係るバラ硬貨の入金を受け付けて、棒金を作成し、作成した棒金を現金管理装置の硬貨収納ドロアに収納する処理の処理手順を示すフローチャートである。
【図１７】図１７は、出納機で行われる実施例２に係る出納機から現金管理装置への貨幣の移動処理の処理手順を示すフローチャートである。
【図１８】図１８は、現金管理装置で行われる実施例２に係る出納機から現金管理装置への貨幣の移動処理の処理手順を示すフローチャートである。
【発明を実施するための形態】
【００２２】
以下に、添付図面を参照して、本発明に係る貨幣管理システム、貨幣処理本体装置及び貨幣管理方法の好適な実施例を詳細に説明する。
【実施例１】
【００２３】
まず、実施例１に係る出納機１００から現金管理装置２００への貨幣の移動処理の概要について図１を用いて説明する。出納機１００の包装硬貨処理部１４０は、金種別の棒金を払い出し可能に収納する棒金収納部１４２と、棒金収納部１４２に収まらなかった棒金を金種混合で収納する棒金一括収納部１４３とを備えており、棒金一括収納部１４３に収められた棒金は、払い出し用に使用することはできない。図１では、手作業を介して出納機１００及び現金管理装置２００間で貨幣を移動する処理について、出納機１００の棒金一括収納部１４３に収められた棒金を、現金管理装置２００の硬貨収納ドロア２１３、２１４に移動する処理を例としてその概要を説明する。
【００２４】
図１に示すように、出納機１００は制御装置１０、バラ紙幣処理部１１０、束紙幣処理部１２０、バラ硬貨処理部１３０及び包装硬貨処理部１４０を備えており、制御装置１０が全体を制御している。また、制御装置１０は、バラ紙幣処理部１１０、束紙幣処理部１２０、バラ硬貨処理部１３０及び包装硬貨処理部１４０に収納されている貨幣の在高を管理している。また、制御装置１０は、現金管理装置２００とデータ通信可能に接続されている。
【００２５】
制御装置１０は、出納機１００の包装硬貨処理部１４０の棒金一括収納部１４３に収納されている棒金を全て現金管理装置２００の硬貨収納ドロア２１３、２１４に移動する旨の指示操作を受け付けたならば、包装硬貨処理部１４０の棒金一括収納部１４３から棒金の取り出しが可能となるよう電磁ロックの解除を行うとともに、棒金一括収納部１４３に収納されている棒金の金種別の本数を特定する。
【００２６】
図１に示した例では、棒金一括収納部１４３から取り出す棒金の金種別の本数を包装硬貨処理部１４０から取得することを示す図となっている。このように、移動元の装置の計数機能等の取出数量を検知する機能によって取り出す貨幣の数量を取得するようにしてもよいが、収納部に収められている貨幣を全て移動させるような場合には、管理している収納部ごとの貨幣在高情報に基づいて取り出す数量を制御装置１０内で特定するようにしてもよい。このケースでは、包装硬貨処理部１４０は、棒金一括収納部１４３に収納されている棒金の金種別の本数を再計数する機構を備えていないので、管理している収納部ごとの貨幣在高情報に基づいて取り出す数量を制御装置１０内で特定することになる。
【００２７】
移動元の収納部から取り出された貨幣の数量を取得したならば、制御装置１０は、取得した貨幣数量に基づいて現金管理装置２００に収納を依頼する収納依頼貨幣数量を特定し、該収納依頼貨幣数量を含む貨幣収納要求を現金管理装置２００に送信し、取り出された貨幣の量に応じて収納部ごとに管理している貨幣在高情報を更新して処理を終了する。
【００２８】
現金管理装置２００は、貨幣収納要求を受け付けると、受け付けた貨幣収納要求に応じて硬貨収納ドロア２１３、２１４の電磁ロックを解除して棒金一括収納部１４３から取り出された棒金を収納可能な状態とする。現金管理装置２００は、硬貨収納ドロア２１３、２１４に棒金が収納されたならば、収納された棒金の金種別の数量を検知する。
【００２９】
現金管理装置２００は、出納機１００から受け付けた貨幣収納要求に含まれる収納依頼貨幣数量と、硬貨収納ドロア２１３、２１４に棒金が収納されたことによって検知された棒金の金種別の数量に基づいて貨幣収納要求に対応する貨幣が収納済みか否かを判定する。貨幣収納要求に対応する貨幣が収納済みであると判定されたならば、現金管理装置２００は、装置内部で管理する装置内の貨幣在高の更新を行って処理を終了する。一方、硬貨収納ドロア２１３、２１４に収納された棒金の数量が貨幣収納要求に対応する貨幣の数量と一致しないと判定された場合はその旨を報知し、貨幣収納要求に対応する貨幣の収納を待ち合わせる。また、貨幣収納要求に対応する貨幣の収納が未完で、貨幣収納要求受信以降、所定時間が経過している場合には貨幣収納要求に対応する貨幣の収納が未完了である旨のアラートを報知して、貨幣収納要求に対応する貨幣の収納を待ち合わせる。
【００３０】
また、図１の例では出納機１００から現金管理装置２００へ貨幣を移動するようなケースを例に説明したが、本発明は装置間で貨幣を移動するケースだけに限定されるものではなく、出納機１００内で貨幣を移動させるようなケースにおいて、取り出した数量と、収納された数量の一致を確認するようにしてもよい。
【００３１】
このように、出納機１００と現金管理装置２００の間若しくは出納機１００内で手作業を伴う貨幣の移動を行う場合に、移動元の装置は、移動元から取り出された貨幣の数量を取得し、取得した貨幣の数量に基づいて移動先に収納する貨幣の数量を特定し、特定した移動先に収納する貨幣の数量を含む貨幣収納要求を移動先の装置に受け渡し、移動先の装置は、収納された貨幣の数量を特定して貨幣収納要求に含まれる移動先に収納する貨幣の数量と一致するか否かを検証し、貨幣収納要求を受け付けてから所定時間が経過しても貨幣収納要求に含まれる移動先に収納する貨幣の数量に対する貨幣の収納が終了しない場合にはアラート報知するようにしたので、金融機関等の営業店等に配設される出納機１００と現金管理装置２００との間で貨幣を円滑かつ効率良く移動することができる。
【００３２】
次に、実施例１に係る貨幣管理システムに含まれる出納機１００及び現金管理装置２００の外観構成について図２を用いて説明する。図２に示すように出納機１００と現金管理装置２００は、通信線を介して互いにデータ通信可能に接続される。
【００３３】
まず、図２の右側に示した出納機１００の外観構成について説明する。出納機１００は、向かって左側から順番に、束紙幣処理部１２０、バラ紙幣処理部１１０、包装硬貨処理部１４０及びバラ硬貨処理部１３０を有する。
【００３４】
束紙幣処理部１２０は、前面上部に入金する束紙幣の受け付けと出金する束紙幣の払い出しを行う束紙幣入出金口１２１と、前面下部に束紙幣を払い出す束紙幣放出口１２６とを備える。バラ紙幣処理部１１０は、前面上部に入金するバラ紙幣を受け付けるバラ紙幣入金口１１１と、上面に出金するバラ紙幣を払い出すバラ紙幣出金口１１７とを備える。包装硬貨処理部１４０は、前面上部に出金する棒金を払い出す棒金出金口１４４を備える。バラ硬貨処理部１３０は、前面左上部に出金するバラ硬貨を払い出すバラ硬貨出金口１３７と、上面に上方向に開口した入金するバラ硬貨を受け付けるバラ硬貨入金口１３１と、前面下部にバラ硬貨入金口１３１に投入したバラ硬貨のうち識別できなかった硬貨を排出するリジェクト部１３４とを備える。
【００３５】
また、包装硬貨処理部１４０とバラ硬貨処理部１３０の上面で構成される面の奥側に、外部プリンタ１４、表示部１１、制御装置１０、ＩＤカードリーダ１３及び現外ボックス１５が配置される。また、表示部１１の手前には操作部１２が配置される。
【００３６】
外部プリンタ１４は、出納機１００における処理内容等を紙媒体に出力するための出力部である。ＩＤカードリーダ１３は、当該出納機１００を操作する操作者の担当者カードの情報を読み取るための入力部である。現外ボックス１５は、現金以外の有価証券類等を収納するためのボックスである。
【００３７】
表示部１１及び操作部１２は、制御装置１０に接続される。操作部１２はキーボードであって制御装置１０に対する指示操作を受け付ける入力部で、表示部１１は制御装置１０の処理に係る入力画面及び処理結果等を表示するタッチ式のディスプレイである。
【００３８】
制御装置１０は、束紙幣処理部１２０、バラ紙幣処理部１１０、包装硬貨処理部１４０、バラ硬貨処理部１３０、外部プリンタ１４及び現外ボックス１５と接続して、これらの機器に対する処理の指示を行う。また、制御装置１０は、制御装置１０に接続される束紙幣処理部１２０、バラ紙幣処理部１１０、包装硬貨処理部１４０及びバラ硬貨処理部１３０ごとに、それぞれの機器内に収納されている貨幣の数量である貨幣在高を管理する。
【００３９】
次に、図２の左側に示した現金管理装置２００の外観構成について説明する。現金管理装置２００は、１万円紙幣を収納保管する紙幣収納ドロア２１１と、その他の金種の紙幣を収納保管する紙幣収納ドロア２１２と、１００円と１０円と１円の硬貨を収納保管する硬貨収納ドロア２１３と、５００円と５０円と５円の硬貨を収納保管する硬貨収納ドロア２１４と、現金以外の有価証券類も投入することができる予備収納ドロア２１５とを有している。
【００４０】
また、現金管理装置２００は、現金管理装置２００対する指示操作を受け付けるキーボード等である操作部２０２と、現金管理装置２００の処理に係る入力画面及び処理結果等を表示するディスプレイである表示部２０１と、現金管理装置２００を操作する操作者の担当者カードの情報を読み取るためのＩＤカードリーダ２０３とを備えている。
【００４１】
次に、図２に示した出納機１００の実施例１に係るバラ紙幣処理部１１０及び束紙幣処理部１２０の内部の論理構成について図３を用いて説明する。
【００４２】
まず、バラ紙幣処理部１１０におけるバラ紙幣の入金処理に係る構成について説明する。バラ紙幣入金口１１１に投入されたバラ紙幣は、金種、真贋及び正損の識別をする入金識別部１１２に搬送される。入金識別部１１２で真券ではない又は損券であると判定されたバラ紙幣は、リジェクト部１１４に搬送される。リジェクト部１１４に搬送されたバラ紙幣は操作者から取り出し可能な状態で集積される。また、入金識別部１１２において真券で且つ損券ではないと判定されたバラ紙幣は、一時保留部１１３に搬送される。一時保留部１１３に搬送されたバラ紙幣の金種別の枚数は表示部１１等に表示され、操作部１２等により操作者の確認操作を受け付けると、一時保留部１１３に集積されたバラ紙幣はバラ紙幣収納部１１５に収納される。バラ紙幣収納部１１５は、金種別に収納する収納部と混合金種を収納する収納部を有している。金種別の収納部がフル状態でない場合には、入金されたバラ紙幣は金種別の収納部に収納されるが、対応する金種別の収納部がフル状態になっている場合には、混合金種のバラ紙幣を収納する収納部に収納されることになる。また、一時保留部１１３も、バラ紙幣収納部１１５の各収納部に対応するように金種別の保留部と混合金種の保留部とを有している。また、一時保留部１１３にバラ紙幣が保留されている状態において、操作部１２等により返却操作が行われると一時保留部１１３が外部から取り出し可能にロックが解除される。
【００４３】
次に、バラ紙幣処理部１１０におけるバラ紙幣の出金処理に係る構成について説明する。バラ紙幣収納部１１５の金種別の収納部は、入金されたバラ紙幣を収納する収納部であるとともに、出金用のバラ紙幣を収納しておく収納部であり、入金されたバラ紙幣が出金用のバラ紙幣として還流して使用される。バラ紙幣収納部１１５の混合金種の収納部に収納されたバラ紙幣は出金用には使用されないので、出金用に使用する場合には金種別の収納部のフル状態を解消させたうえで金種別の収納部に装填しなおさなければならない。バラ紙幣処理部１１０は、バラ紙幣の出金の指示を受け付けると、受け付けた指示に基づいて指示に応じたバラ紙幣をバラ紙幣収納部１１５から繰り出して出金識別部１１６で金種の正誤を判定した上でバラ紙幣出金口１１７に搬送する。出金識別部１１６で金種の判別ができなかった紙幣若しくは金種が正しくないと判定された紙幣は、出金リジェクト箱１１８に搬送される。
【００４４】
次に、束紙幣処理部１２０における束紙幣の入金処理に係る構成について説明する。束紙幣入出金口１２１に投入された束紙幣は、束識別部１２２に搬送され、束紙幣の金種の識別がおこなわれて、識別結果に応じて金種別の収納部を備える束紙幣収納部１２３に収納される。束紙幣収納部１２３は、金種別の収納部と、対応する金種別の収納部がフル状態であった場合に収納される混合金種の束紙幣を収納する収納部とを備えている。束紙幣収納部１２３は、入金された束紙幣を収納する収納部であるとともに、出金用の束紙幣を収納しておく収納部であり、入金された束紙幣が出金用の束紙幣として還流して使用される。
【００４５】
次に、束紙幣処理部１２０における束紙幣の出金処理に係る構成について説明する。束紙幣処理部１２０は、束紙幣の出金の指示を受け付けると、受け付けた指示に基づいて対応する束紙幣を束紙幣収納部１２３から搬出して束識別部１２２で金種の正誤を判定した上で束紙幣入出金口１２１又は束紙幣放出口１２６に搬送する。
【００４６】
次に、バラ紙幣を帯封により束として結束する処理に係る構成について説明する。まず、バラ紙幣処理部１１０のバラ紙幣収納部１１５に収納されているバラ紙幣１００枚を帯封で結束して、束紙幣収納部１２３に収納する処理を例に関連する構成を説明する。バラ紙幣処理部１１０は、バラ紙幣収納部１１５から指定された金種の紙幣を１００枚搬出し、出金識別部１１６で金種を確認した上でスタッカ１１９に搬送する。スタッカ１１９に指定された金種のバラ紙幣が１００枚集積されたならば、集積された１００枚のバラ紙幣は束搬送ユニット１２５に渡される。束搬送ユニット１２５はバラ紙幣処理部１１０のスタッカ１１９に集積された紙幣を束紙幣処理部１２０の結束ユニット１２４に一括して搬送するための搬送部である。結束ユニット１２４は、スタッカ１１９から搬送されてきた１００枚のバラ紙幣に対して帯封で結束する。結束ユニット１２４で結束された束紙幣は、束識別部１２２で金種を確認した上で束紙幣収納部１２３に収納される。
【００４７】
また、束紙幣を作成するのは、バラ紙幣収納部１１５に収納されているバラ紙幣を用いて作成する方法以外に、バラ紙幣入金口１１１に投入した紙幣を用いて作成することもできる。バラ紙幣入金口１１１に投入した紙幣を用いて束紙幣を作成する場合には、バラ紙幣入金口１１１に投入された紙幣を入金識別部１１２で金種、真贋及び正損の判定後にスタッカ１１９に直接搬送して、スタッカ１１９に集積されたならば束搬送ユニット１２５を介して結束ユニット１２４に引き渡すことになる。また、作成された束紙幣は、束紙幣収納部１２３に収納するだけではなく、束紙幣入出金口１２１又は束紙幣放出口１２６に搬送して払い出すことも可能である。
【００４８】
次に、図２に示した出納機１００の実施例１に係るバラ硬貨処理部１３０及び包装硬貨処理部１４０の内部の論理構成について図４を用いて説明する。
【００４９】
まず、バラ硬貨処理部１３０におけるバラ硬貨の入金処理に係る構成について説明する。バラ硬貨入金口１３１に投入されたバラ硬貨は、金種、真贋及び正損の識別をする識別部１３２に搬送される。識別部１３２で真貨ではない又は損貨であると判定されたバラ硬貨は、リジェクト部１３４に搬送される。リジェクト部１３４に搬送されたバラ硬貨は操作者から取り出し可能な状態に排出される。また、識別部１３２において真貨で且つ損貨ではないと判定されたバラ硬貨は、一時保留部１３３に搬送される。一時保留部１３３に搬送されたバラ硬貨の金種別の枚数は表示部１１等に表示され、操作者の操作部１２等による確認操作を受け付けると、一時保留部１３３に搬送されていたバラ硬貨はバラ硬貨収納部１３６に収納される。バラ硬貨収納部１３６は、金種別に収納する収納部と混合金種を収納する収納部とを有している。金種別の収納部がフル状態でない場合には、入金されたバラ硬貨は金種別の収納部に収納されるが、対応する金種別の収納部がフル状態になっている場合には、混合金種のバラ硬貨を収納する収納部に収納される。また、一時保留部１３３も、バラ硬貨収納部１３６の各収納部に対応するように金種別の保留部と混合金種の保留部とを有している。また、一時保留部１３３にバラ硬貨が保留されている状態において、操作部１２等により返却操作が行われると、一時保留部１３３に保留されていたバラ硬貨は返却箱１３５に移動される。返却箱１３５は外部から取り出し可能なバラ硬貨を収納する箱である。
【００５０】
次に、バラ硬貨処理部１３０におけるバラ硬貨の出金処理に係る構成について説明する。バラ硬貨収納部１３６の金種別の収納部は、入金されたバラ硬貨を収納する収納部であるとともに、出金用のバラ硬貨を収納しておく収納部であり、入金されたバラ硬貨が出金用のバラ硬貨として還流して使用される。バラ硬貨収納部１３６の混合金種の収納部に収納されたバラ硬貨は出金用には使用されないので、出金用に使用する場合には金種別の収納部のフル状態を解消させたうえで、金種別の収納部に装填しなおさなければならない。バラ硬貨処理部１３０は、バラ硬貨の出金の指示を受け付けると、受け付けた指示に基づいて対応するバラ硬貨をバラ硬貨収納部１３６から繰り出してバラ硬貨出金口１３７に搬送する。
【００５１】
次に、包装硬貨処理部１４０における棒金の出金処理に係る構成について説明する。包装硬貨処理部１４０は、金種別に棒金を収納する棒金収納部１４２と、対応する金種別の棒金収納部１４２がフル状態のときに棒金を金種混合で収納する棒金一括収納部１４３とを備える。包装硬貨処理部１４０は、棒金の出金の指示を受け付けると、受け付けた指示に基づいて指示に応じた棒金を棒金収納部１４２から搬出して棒金出金口１４４に搬送する。なお、本実施例で説明する包装硬貨処理部１４０は、棒金の入金処理には対応していない。
【００５２】
次に、金種別にバラ硬貨を５０枚単位で筒状に包装した棒金を作成する処理に係る構成について説明する。まず、バラ硬貨処理部１３０のバラ硬貨収納部１３６に収納されているバラ硬貨５０枚を使用して棒金を作成して、棒金収納部１４２に収納する処理を例に関連する構成を説明する。バラ硬貨処理部１３０は、バラ硬貨収納部１３６から指定された金種の硬貨を５０枚繰り出し、バラ硬貨処理部１３０から包装硬貨処理部１４０を跨ぐ搬送手段を介して包装硬貨処理部１４０の包装ユニット１４１に引き渡す。包装ユニット１４１に搬送された硬貨５０枚は、筒状に包装されて棒金とされて対応する金種の棒金収納部１４２に収納される。ただし、対応する金種の棒金収納部１４２がフル状態の場合には、棒金一括収納部１４３に搬送され収納される。
【００５３】
また、棒金を作成するのは、バラ硬貨収納部１３６に収納されているバラ硬貨を用いて作成する方法以外に、バラ硬貨入金口１３１に投入した硬貨を用いて作成することもできる。バラ硬貨入金口１３１に投入した硬貨を用いて棒金を作成する場合には、バラ硬貨入金口１３１に投入された硬貨を識別部１３２で金種、真贋及び正損の判定後にバラ硬貨処理部１３０から包装硬貨処理部１４０を跨ぐ搬送手段を介して包装硬貨処理部１４０の包装ユニット１４１に引き渡される。また、作成された棒金は、棒金収納部１４２又は棒金一括収納部１４３に収納するだけではなく、棒金出金口１４４に搬送して払い出すことも可能である。
【００５４】
次に、図２に示した出納機１００の実施例１に係る機能的な内部構成を説明する。図５は、出納機１００の本実施例に係る機能的な内部構成を示すブロック図である。
【００５５】
図５に示すように、出納機１００は、制御装置１０と、制御装置１０に接続される表示部１１、操作部１２、ＩＤカードリーダ１３、外部プリンタ１４、現外ボックス１５、バラ紙幣処理部１１０、束紙幣処理部１２０、バラ硬貨処理部１３０及び包装硬貨処理部１４０とで構成される。図５の説明では、図１又は図２で説明した制御装置１０に接続された機器についての説明は省略し、主に制御装置１０の機能的な内部構成について説明する。
【００５６】
制御装置１０は、出納機１００の全体を制御する装置であって、通信部１６、記憶部１７及び制御部１８を有している。通信部１６は、現金管理装置２００とデータ通信を行うためのインタフェース部である。
【００５７】
記憶部１７は、ハードディスク装置や不揮発性メモリ等の記憶デバイスであり、処理履歴データ１７ａ、バラ紙幣在高データ１７ｂ、束紙幣在高データ１７ｃ、バラ硬貨在高データ１７ｄ及び包装硬貨在高データ１７ｅを有する。処理履歴データ１７ａは、当該出納機１００で行われた入出金等の処理の履歴を記録したデータである。
【００５８】
バラ紙幣在高データ１７ｂは、バラ紙幣処理部１１０のバラ紙幣収納部１１５の金種別の収納部に収納されている金種別の紙幣枚数と、混合金種の収納部に収納されている金種別の紙幣枚数とを含む。束紙幣在高データ１７ｃは、束紙幣処理部１２０の束紙幣収納部１２３の金種別の収納部に収納されている金種別の束紙幣数と、混合金種の収納部に収納されている金種別の束紙幣数とを含む。バラ硬貨在高データ１７ｄは、バラ硬貨処理部１３０のバラ硬貨収納部１３６の金種別の収納部に収納されている金種別の硬貨枚数と、混合金種の収納部に収納されている金種別の硬貨枚数とを含む。包装硬貨在高データ１７ｅは、包装硬貨処理部１４０の棒金収納部１４２に収納されている金種別の棒金本数と、棒金一括収納部１４３に収納されている金種別の棒金本数とを含む。
【００５９】
制御部１８は、制御装置１０、ひいては出納機１００の全体を制御する制御部であり、入出金処理部１８ａ、回収・補充処理部１８ｂ及び貨幣移動処理部１８ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００６０】
入出金処理部１８ａは、操作部１２などの操作により出納機１００に対するバラ紙幣、束紙幣、バラ硬貨及び棒金の入出金の指示を受け付けて、受け付けた指示に応じてバラ紙幣処理部１１０、束紙幣処理部１２０、バラ硬貨処理部１３０及び包装硬貨処理部１４０などの接続される貨幣処理部を制御して指示された入出金処理を制御する。
【００６１】
回収・補充処理部１８ｂは、バラ紙幣処理部１１０、束紙幣処理部１２０、バラ硬貨処理部１３０及び包装硬貨処理部１４０に収納されているバラ紙幣、束紙幣、バラ硬貨及び棒金の回収処理及びバラ紙幣処理部１１０、束紙幣処理部１２０、バラ硬貨処理部１３０及び包装硬貨処理部１４０に対するバラ紙幣、束紙幣、バラ硬貨及び棒金の補充処理を制御する処理部である。
【００６２】
貨幣移動処理部１８ｃは、本発明に係る出納機１００と現金管理装置２００との間で貨幣を移動する処理を制御する処理部である。詳細な処理手順については後述する。
【００６３】
入出金処理部１８ａ、回収・補充処理部１８ｂ及び貨幣移動処理部１８ｃは、それぞれの処理内容を処理履歴として処理履歴データ１７ａに登録する。また、入出金処理部１８ａ、回収・補充処理部１８ｂ及び貨幣移動処理部１８ｃは、それぞれの処理に応じてバラ紙幣在高データ１７ｂ、束紙幣在高データ１７ｃ、バラ硬貨在高データ１７ｄ及び包装硬貨在高データ１７ｅを更新する。
【００６４】
次に、図５に示した出納機１００の実施例１に係るデータ構成について図６を用いて説明する。
【００６５】
バラ紙幣在高データ１７ｂは、バラ紙幣処理部１１０のバラ紙幣収納部１１５の金種別の収納部に収納されているバラ紙幣の金種別の在高と、バラ紙幣収納部１１５の金種混合の収納部に収納されているバラ紙幣の金種別の在高と、出金リジェクト箱１１８にリジェクトされた件数とを含む。図６のバラ紙幣在高データ１７ｂの例は、バラ紙幣処理部１１０のバラ紙幣収納部１１５の金種別の収納部に万円券が「４０００」枚、五千円券が「１５００」枚、千円券が「３５００」枚、バラ紙幣収納部１１５の金種混合の収納部に万円券が「１００」枚、五千円券が「０」枚、千円券が「０」枚収納されていて、出金リジェクト箱１１８に「５」件リジェクトされたことを示している。
【００６６】
束紙幣在高データ１７ｃは、束紙幣処理部１２０の束紙幣収納部１２３の金種別の収納部に収納されている束紙幣の金種別の在高と、束紙幣収納部１２３の金種混合の収納部に収納されている束紙幣の金種別の在高とを含む。図６の束紙幣在高データ１７ｃの例は、束紙幣処理部１２０の束紙幣収納部１２３の金種別の収納部に万円券が「２０」束、五千円券が「３０」束、千円券が「２０」束、束紙幣収納部１２３の金種混合の収納部に万円券が「５」束、五千円券が「４」束、千円券が「０」束収納されていることを示している。
【００６７】
バラ硬貨在高データ１７ｄは、バラ硬貨処理部１３０のバラ硬貨収納部１３６の金種別の収納部に収納されているバラ硬貨の金種別の在高と、バラ硬貨収納部１３６の金種混合の収納部に収納されているバラ硬貨の金種別の在高とを含む。図６のバラ硬貨在高データ１７ｄの例は、バラ硬貨処理部１３０のバラ硬貨収納部１３６の金種別の収納部に５００円貨が「６００」枚、１００円貨が「４００」枚、５０円貨が「４００」枚、１０円貨が「５００」枚、５円貨が「３００」枚、１円貨が「５００」枚、バラ硬貨収納部１３６の金種混合の収納部に５００円貨が「３０」枚、１００円貨が「０」枚、５０円貨が「０」枚、１０円貨が「４０」枚、５円貨が「０」枚、１円貨が「２００」枚収納されていることを示している。
【００６８】
包装硬貨在高データ１７ｅは、包装硬貨処理部１４０の棒金収納部１４２の棒金の金種別の在高と、棒金一括収納部１４３に収納されている棒金の金種別の在高とを含む。図６の包装硬貨在高データ１７ｅの例は、包装硬貨処理部１４０の棒金収納部１４２に５００円貨の棒金が「３０」本、１００円貨の棒金が「２０」本、５０円貨の棒金が「１５」本、１０円貨の棒金が「５０」本、５円貨の棒金が「２５」本、１円貨の棒金が「３０」本、棒金一括収納部１４３に５００円貨の棒金が「０」本、１００円貨の棒金が「０」本、５０円貨の棒金が「０」本、１０円貨の棒金が「５」本、５円貨の棒金が「０」本、１円貨の棒金が「２」本収納されていることを示している。
【００６９】
次に、図２に示した現金管理装置２００の紙幣収納ドロア２１２の実施例１に係る物理的な構成について図７を用いて説明する。ここでは、紙幣収納ドロア２１２の構成を説明するが紙幣収納ドロア２１１も収納する紙幣の金種が異なるだけで同様の構成である。
【００７０】
図７に示すように、紙幣収納ドロア２１２には、３種類の金種の紙幣の束が、規則正しく収納保管される。図７の例では、紙幣収納ドロア２１２の内部に、１０個の紙幣保管容器２２１〜２３０が配置されており、容器毎に収納保管される紙幣の金種が決められている。また、１束１００枚の束紙幣を１０束ごとに束ねた大束紙幣が収納保管されるようになっていてもよい。
【００７１】
紙幣保管容器２２１の底面には、紙幣保管容器２２１内に収納保管される紙幣の束の重量を測定するための測定手段としてロードセルが設けられている。他の紙幣保管容器２２２〜２３０についても同様にロードセルが設けられている。この構成により金種毎に収納保管されている貨幣の重量を測定することによって在高を検知できるようになっている。
【００７２】
次に、図２に示した現金管理装置２００の硬貨収納ドロア２１４の実施例１に係る物理的な構成について図８を用いて説明する。ここでは、硬貨収納ドロア２１４の構成を説明するが硬貨収納ドロア２１３も収納する硬貨の金種が異なるだけで同様の構成である。
【００７３】
図８に示すように、硬貨収納ドロア２１４には、３種類の金種の棒金状態の硬貨が、規則正しく収納保管される。図８の例では、硬貨収納ドロア２１４の内部に、３つの硬貨保管容器２４１〜２４３が配置されており、容器毎に収納保管される棒金の金種が決められている。硬貨保管容器２４１〜２４３の底面には、硬貨保管容器２４１〜２４３内に収納保管される硬貨の重量を測定するためのロードセルが設けられ、金種毎に収納保管されている棒金の在高を検知できるようになっている。
【００７４】
次に、図２に示した現金管理装置２００の実施例１に係る機能的な内部構成を説明する。図９は、現金管理装置２００の実施例１に係る機能的な内部構成を示すブロック図である。
【００７５】
図９に示すように、現金管理装置２００は、表示部２０１、操作部２０２、ＩＤカードリーダ２０３、報知部２０４、通信部２０５、紙幣収納ドロア２１１、２１２、硬貨収納ドロア２１３、２１４及び予備収納ドロア２１５、記憶部２０６及び制御部２０７を有している。図９の説明では、図２、図７及び図８で説明した部位についての説明は省略し、それ以外の現金管理装置２００の機能的な内部構成について説明する。
【００７６】
報知部２０４は、操作者に対する音声によるメッセージを出力するための音声出力部である。通信部２０５は、出納機１００の制御装置１０とデータ通信するためのインタフェース部である。
【００７７】
記憶部２０６は、ハードディスク装置や不揮発性メモリ等の記憶デバイスであり、処理履歴データ２０６ａ及び在高データ２０６ｂを有する。処理履歴データ２０６ａは、当該現金管理装置２００で行われた束紙幣及び棒金の出し入れの履歴を記録したデータである。在高データ２０６ｂは、紙幣収納ドロア２１１、２１２及び硬貨収納ドロア２１３、２１４に収納されている金種別の束紙幣数と、棒金の本数とを含む。
【００７８】
制御部２０７は、現金管理装置２００の全体を制御する制御部であり、入出金処理部２０７ａ、回収・補充処理部２０７ｂ及び貨幣移動処理部２０７ｃを有する。実際には、これらの機能部に対応するプログラムを図示しないＲＯＭや不揮発性メモリに記憶しておき、これらのプログラムをＣＰＵにロードして実行することにより、それぞれに対応するプロセスを実行させることになる。
【００７９】
入出金処理部２０７ａは、操作部２０２などの操作により現金管理装置２００に対する束紙幣及び棒金の入出金の指示を受け付けて、受け付けた指示に応じて紙幣収納ドロア２１１、２１２及び硬貨収納ドロア２１３、２１４の電磁ロックの解除を行い紙幣収納ドロア２１１、２１２及び硬貨収納ドロア２１３、２１４に対する束紙幣及び棒金の出し入れを可能とする。
【００８０】
回収・補充処理部２０７ｂは、紙幣収納ドロア２１１、２１２及び硬貨収納ドロア２１３、２１４に収納されている束紙幣及び棒金の回収処理及び紙幣収納ドロア２１１、２１２及び硬貨収納ドロア２１３、２１４に対する束紙幣及び棒金の補充処理を制御する処理部である。
【００８１】
貨幣移動処理部２０７ｃは、本発明に係る出納機１００と現金管理装置２００との間で束紙幣及び棒金を移動する処理を制御する処理部である。詳細な処理手順については後述する。
【００８２】
入出金処理部２０７ａ、回収・補充処理部２０７ｂ及び貨幣移動処理部２０７ｃは、それぞれの処理内容を処理履歴として処理履歴データ２０６ａに登録する。また、入出金処理部２０７ａ、回収・補充処理部２０７ｂ及び貨幣移動処理部２０７ｃは、それぞれの処理に応じて在高データ２０６ｂを更新する。
【００８３】
次に、図９に示した現金管理装置２００の実施例１に係るデータ構成について図１０を用いて説明する。
【００８４】
在高データ２０６ｂは、紙幣収納ドロア２１１、２１２及び硬貨収納ドロア２１３、２１４に収納されている金種別の紙幣の束数と棒金の本数とを含む。図１０に示す在高データ２０６ｂの例は、紙幣収納ドロア２１１、２１２に万円券が「８０」束、五千円券が「４０」束、千円券が「６０」束、硬貨収納ドロア２１３、２１４に５００円貨の棒金が「４０」本、１００円貨の棒金が「４５」本、５０円貨の棒金が「３０」本、１０円貨の棒金が「２５」本、５円貨の棒金が「５０」本、１円貨の棒金が「４０」本収納されていることを示している。
【００８５】
次に、図２に示した出納機１００及び現金管理装置２００の間で実施例１に係る紙幣の移動パターンについて図１１を用いて説明する。図１１に示すように、出納機１００及び現金管理装置２００の紙幣に係る収納部は、バラ紙幣処理部１１０のバラ紙幣収納部１１５の金種別の収納部と、バラ紙幣収納部１１５の金種混合の収納部と、束紙幣処理部１２０の束紙幣収納部１２３の金種別の収納部と、束紙幣収納部１２３の金種混合の収納部と、現金管理装置２００の紙幣収納ドロア２１１、２１２とがある。図１１は、本実施例で紙幣の移動処理として指定することが可能な移動元の収納部と移動先の収納部の組み合わせを説明するためのマトリクスである。移動元の収納部と移動先の収納部の組み合わせにおいて移動を指定することができる場合には組み合わせ番号が示され、その組み合わせにおいて移動を指定することができない場合には「×」で表されている。また、組み合わせ番号が白黒反転しているケースはその組み合わせにおいて紙幣の移動が可能で尚且つ手作業が不要な自動処理であることを示している。
【００８６】
組み合わせ番号（１）は、出納機１００のバラ紙幣処理部１１０のバラ紙幣収納部１１５の金種別の収納部から、出納機１００の束紙幣処理部１２０の束紙幣収納部１２３の金種別の収納部への移動で自動処理であることを示している。この組み合わせ番号（１）に対する移動の操作が行われると、出納機１００は、バラ紙幣処理部１１０のバラ紙幣収納部１１５の金種別の収納部から繰り出した紙幣を、スタッカ１１９及び束搬送ユニット１２５を経由して束紙幣処理部１２０の結束ユニット１２４に渡し、結束ユニット１２４で結束後に束識別部１２２で金種の識別をして、識別結果に応じて束紙幣収納部１２３の金種別の収納部に収納する。
【００８７】
組み合わせ番号（２）は、出納機１００のバラ紙幣処理部１１０のバラ紙幣収納部１１５の金種別の収納部から、出納機１００の束紙幣処理部１２０の束紙幣収納部１２３の金種混合の収納部への移動で自動処理であることを示している。この組み合わせ番号（２）に対する移動の操作が行われたときの処理は、組み合わせ番号（１）と比較すると最後の収納する場所が束紙幣収納部１２３の金種混合の収納部であることを除いて同じである。
【００８８】
組み合わせ番号（３）は、出納機１００のバラ紙幣処理部１１０のバラ紙幣収納部１１５の金種別の収納部から、現金管理装置２００の紙幣収納ドロア２１１、２１２への移動を示している。この組み合わせ番号（３）に対する移動の操作が行われると、出納機１００は、バラ紙幣処理部１１０のバラ紙幣収納部１１５の金種別の収納部からスタッカ１１９及び束搬送ユニット１２５を経由して束紙幣処理部１２０の結束ユニット１２４に渡し、結束ユニット１２４で結束後に束紙幣放出口１２６に束紙幣を搬出する。この様にして搬出された束紙幣は操作者の手作業によって連動して電磁ロックが解除された現金管理装置２００の紙幣収納ドロア２１１、２１２に収納されることになる。
【００８９】
組み合わせ番号（４）は、出納機１００のバラ紙幣処理部１１０のバラ紙幣収納部１１５の金種混合の収納部から、出納機１００のバラ紙幣処理部１１０のバラ紙幣収納部１１５の金種別の収納部への移動を示している。この組み合わせ番号（４）に対する移動の操作が行われて、操作者の手作業によりバラ紙幣収納部１１５の金種混合の収納部から取り出されたバラ紙幣がバラ紙幣入金口１１１に投入されると、出納機１００は、投入されたバラ紙幣を入金識別部１１２により金種の識別をして、識別結果に応じてバラ紙幣収納部１１５の金種別の収納部へ振り分けて収納する。
【００９０】
組み合わせ番号（５）は、出納機１００のバラ紙幣処理部１１０のバラ紙幣収納部１１５の金種混合の収納部から、出納機１００の束紙幣処理部１２０の束紙幣収納部１２３の金種別の収納部への移動であることを示している。この組み合わせ番号（５）に対する移動の操作が行われて、操作者の手作業によりバラ紙幣収納部１１５の金種混合の収納部から取り出されたバラ紙幣がバラ紙幣入金口１１１に投入されると、出納機１００は、投入されたバラ紙幣を入金識別部１１２により金種の識別をして、指定された金種の紙幣についてはスタッカ１１９及び束搬送ユニット１２５を経由して束紙幣処理部１２０の結束ユニット１２４に渡し、結束ユニット１２４で結束後に束識別部１２２で金種の識別をして、識別結果に応じて束紙幣収納部１２３の金種別の収納部に収納する。また、出納機１００は、指定された金種以外の紙幣については、金種の識別結果に応じてバラ紙幣収納部１１５の金種別の収納部へ振り分けて収納する。
【００９１】
組み合わせ番号（６）は、出納機１００のバラ紙幣処理部１１０のバラ紙幣収納部１１５の金種混合の収納部から、現金管理装置２００の紙幣収納ドロア２１１、２１２への移動を示している。この組み合わせ番号（６）に対する移動の操作が行われて、操作者の手作業によりバラ紙幣収納部１１５の金種混合の収納部から取り出されたバラ紙幣がバラ紙幣入金口１１１に投入されると、出納機１００は、入金識別部１１２により金種の識別をして、指定された金種の紙幣についてはスタッカ１１９及び束搬送ユニット１２５を経由して束紙幣処理部１２０の結束ユニット１２４に渡し、結束ユニット１２４で結束して束紙幣放出口１２６に搬出する。この様にして搬出された束紙幣は、操作者の手作業によって連動して電磁ロックが解除された現金管理装置２００の紙幣収納ドロア２１１、２１２に収納されることになる。また、出納機１００は、指定された金種以外の紙幣については、金種の識別結果に応じてバラ紙幣収納部１１５の金種別の収納部へ振り分けて収納する。
【００９２】
組み合わせ番号（７）は、出納機１００の束紙幣処理部１２０の束紙幣収納部１２３の金種別の収納部から、出納機１００のバラ紙幣処理部１１０のバラ紙幣収納部１１５の金種別の収納部への移動を示している。この組み合わせ番号（７）に対する移動の操作が行われると、出納機１００は、束紙幣処理部１２０の束紙幣収納部１２３の金種別収納部から束紙幣放出口１２６に束紙幣を搬出する。搬出された束紙幣は、操作者の手作業により束が解かれてバラ紙幣にされ、該バラ紙幣がバラ紙幣入金口１１１に投入されると、出納機１００は、投入されたバラ紙幣を入金識別部１１２により金種の識別をして、識別結果に応じてバラ紙幣収納部１１５の金種別の収納部へ振り分けて収納する。
【００９３】
組み合わせ番号（８）は、出納機１００の束紙幣処理部１２０の束紙幣収納部１２３の金種別の収納部から、出納機１００の束紙幣処理部１２０の束紙幣収納部１２３の金種混合の収納部への移動で自動処理であることを示している。この組み合わせ番号（８）に対する移動の操作が行われると、出納機１００は、束紙幣処理部１２０の束紙幣収納部１２３の金種別の収納部から、図示しない装置内の集積部に一旦搬出し、集積部に搬出された束紙幣を束識別部１２２で金種の識別をして、識別結果に拘わらず束紙幣収納部１２３の金種混合の収納部に収納する。
【００９４】
組み合わせ番号（９）は、出納機１００の束紙幣処理部１２０の束紙幣収納部１２３の金種別の収納部から、現金管理装置２００の紙幣収納ドロア２１１、２１２への移動を示している。この組み合わせ番号（９）に対する移動の操作が行われると、出納機１００は、束紙幣処理部１２０の束紙幣収納部１２３の金種別収納部から束紙幣放出口１２６に束紙幣を搬出する。搬出された束紙幣は操作者の手作業によって連動して電磁ロックが解除された現金管理装置２００の紙幣収納ドロア２１１、２１２に収納されることになる。
【００９５】
組み合わせ番号（１０）は、出納機１００の束紙幣処理部１２０の束紙幣収納部１２３の金種混合の収納部から、出納機１００のバラ紙幣処理部１１０のバラ紙幣収納部１１５の金種別の収納部への移動を示している。この組み合わせ番号（１０）に対する移動の操作が行われると、出納機１００は、束紙幣処理部１２０の束紙幣収納部１２３の金種混合の収納部から束紙幣放出口１２６に束紙幣を搬出する。搬出された束紙幣は操作者の手作業により束が解かれてバラ紙幣にされ、該バラ紙幣がバラ紙幣入金口１１１に投入されると、出納機１００は、投入されたバラ紙幣を入金識別部１１２により金種の識別をして、識別結果に応じてバラ紙幣収納部１１５の金種別の収納部へ振り分けて収納する。
【００９６】
組み合わせ番号（１１）は、出納機１００の束紙幣処理部１２０の束紙幣収納部１２３の金種混合の収納部から、出納機１００の束紙幣処理部１２０の束紙幣収納部１２３の金種別の収納部への移動で自動処理であることを示している。この組み合わせ番号（１１）に対する移動の操作が行われると、出納機１００は、束紙幣処理部１２０の束紙幣収納部１２３の金種混合の収納部から、図示しない装置内の集積部に一旦搬出し、集積部に搬出された束紙幣を束識別部１２２で金種の識別をして、識別結果に応じて束紙幣収納部１２３の金種別の収納部に収納する。
【００９７】
組み合わせ番号（１２）は、出納機１００の束紙幣処理部１２０の束紙幣収納部１２３の金種混合の収納部から、現金管理装置２００の紙幣収納ドロア２１１、２１２への移動を示している。この組み合わせ番号（１２）に対する移動の操作が行われると、出納機１００は、出納機１００の束紙幣処理部１２０の束紙幣収納部１２３の金種混合の収納部から束紙幣放出口１２６に束紙幣を搬出する。搬出された束紙幣は操作者の手作業によって連動して電磁ロックが解除された現金管理装置２００の紙幣収納ドロア２１１、２１２に収納されることになる。
【００９８】
組み合わせ番号（１３）は、現金管理装置２００の紙幣収納ドロア２１１、２１２から出納機１００のバラ紙幣処理部１１０のバラ紙幣収納部１１５の金種別の収納部への移動を示している。この組み合わせ番号（１３）に対する移動の操作が行われると、現金管理装置２００は、紙幣収納ドロア２１１、２１２の電磁ロックを解除する。操作者は手作業により現金管理装置２００の紙幣収納ドロア２１１、２１２から束紙幣を取り出し、取り出した束紙幣の束を解いて出納機１００のバラ紙幣処理部１１０のバラ紙幣入金口１１１に投入する。出納機１００は、バラ紙幣入金口１１１に投入されたバラ紙幣を受け付け、入金識別部１１２により金種の識別をし、識別結果に応じてバラ紙幣収納部１１５の金種別の収納部へ振り分けて収納する。
【００９９】
組み合わせ番号（１４）は、現金管理装置２００の紙幣収納ドロア２１１、２１２から、出納機１００の束紙幣処理部１２０の束紙幣収納部１２３の金種別の収納部への移動であることを示している。この組み合わせ番号（１４）に対する移動の操作が行われると、現金管理装置２００は、紙幣収納ドロア２１１、２１２の電磁ロックを解除する。操作者は手作業により現金管理装置２００の紙幣収納ドロア２１１、２１２から束紙幣を取り出し、出納機１００の束紙幣処理部１２０の束紙幣入出金口１２１に投入する。出納機１００は、束紙幣入出金口１２１に投入された束紙幣を受け付け、束識別部１２２により金種の識別をして、識別結果に応じて束紙幣収納部１２３の金種別の収納部に収納する。
【０１００】
なお、組み合わせ番号（４）、（７）、（１０）及び（１３）の移動処理は、移動先としてバラ紙幣処理部１１０のバラ紙幣収納部１１５の金種別の収納部が指定されているが、金種別の収納部がフル状態になっている場合には、バラ紙幣収納部１１５の金種混合の収納部に移動されることになる。また、組み合わせ番号（１）、（５）、（１１）及び（１４）の移動処理は、移動先に束紙幣処理部１２０の束紙幣収納部１２３の金種別の収納部が指定されているが、金種別の収納部がフル状態になっている場合には、束紙幣収納部１２３の金種混合の収納部に移動されることになる。
【０１０１】
また、図１１では移動元と移動先を１対１として説明をしたが、図１１に示した移動パターンを組み合わせて１つの移動元から複数の移動先に移動できるようにしてもよい。
【０１０２】
次に、図２に示した出納機１００及び現金管理装置２００の間で実施例１に係る硬貨の移動のパターンについて図１２を用いて説明する。
【０１０３】
図１２に示すように、出納機１００及び現金管理装置２００の硬貨に係る収納部は、バラ硬貨処理部１３０のバラ硬貨収納部１３６の金種別の収納部と、バラ硬貨収納部１３６の金種混合の収納部と、包装硬貨処理部１４０の金種別の収納部である棒金収納部１４２と、金種混合の収納部である棒金一括収納部１４３と、現金管理装置２００の硬貨収納ドロア２１３、２１４とがある。図１２は、本実施例で硬貨の移動処理として指定することが可能な移動元の収納部と移動先の収納部の組み合わせを説明するためのマトリクスである。図１２についても図１１と同様に、移動元の収納部と移動先の収納部の組み合わせにおいて移動を指定することができる場合には組み合わせ番号が示され、その組み合わせにおいて移動を指定することができない場合には「×」で表されている。また、組み合わせ番号が白黒反転しているケースはその組み合わせにおいて紙幣の移動が可能で尚且つ手作業が不要な自動処理であることを示している。
【０１０４】
組み合わせ番号（１）は、出納機１００のバラ硬貨処理部１３０のバラ硬貨収納部１３６の金種別の収納部から、出納機１００の包装硬貨処理部１４０の棒金収納部１４２への移動で自動処理であることを示している。この組み合わせ番号（１）に対する移動の操作が行われると、出納機１００は、バラ硬貨処理部１３０のバラ硬貨処理部１３０の金種別の収納部から繰り出した硬貨を、包装硬貨処理部１４０の包装ユニット１４１に搬送し、包装ユニット１４１で包装して棒金にして棒金収納部１４２に収納する。
【０１０５】
組み合わせ番号（２）は、出納機１００のバラ硬貨処理部１３０のバラ硬貨収納部１３６の金種別の収納部から、出納機１００の包装硬貨処理部１４０の棒金一括収納部１４３への移動で自動処理であることを示している。この組み合わせ番号（２）に対する移動の操作が行われたときの処理は、組み合わせ番号（１）と比較すると最後の収納する場所が棒金一括収納部１４３であることを除いて同じである。
【０１０６】
組み合わせ番号（３）は、出納機１００のバラ硬貨処理部１３０のバラ硬貨収納部１３６の金種別の収納部から、現金管理装置２００の硬貨収納ドロア２１３、２１４への移動を示している。この組み合わせ番号（３）に対する移動の操作が行われると、出納機１００は、バラ硬貨処理部１３０のバラ硬貨処理部１３０の金種別の収納部から繰り出した硬貨を、包装硬貨処理部１４０の包装ユニット１４１に搬送し、包装ユニット１４１で包装して作成した棒金を棒金出金口１４４に搬出する。この様にして搬出された棒金は操作者の手作業によって連動して電磁ロックが解除された現金管理装置２００の硬貨収納ドロア２１３、２１４に収納されることになる。
【０１０７】
組み合わせ番号（４）は、出納機１００のバラ硬貨処理部１３０のバラ硬貨収納部１３６の金種混合の収納部から、出納機１００のバラ硬貨処理部１３０のバラ硬貨収納部１３６の金種別の収納部への移動を示している。この組み合わせ番号（４）に対する移動の操作が行われて、操作者の手作業によりバラ硬貨収納部１３６の金種混合の収納部から取り出されたバラ硬貨がバラ硬貨入金口１３１に投入されると、出納機１００は、バラ硬貨入金口１３１に投入されたバラ硬貨を識別部１３２により金種の識別をして、識別結果に応じてバラ硬貨収納部１３６の金種別の収納部へ振り分けて収納する。
【０１０８】
組み合わせ番号（５）は、出納機１００のバラ硬貨処理部１３０のバラ硬貨収納部１３６の金種混合の収納部から、出納機１００の包装硬貨処理部１４０の棒金収納部１４２への移動を示している。この組み合わせ番号（５）に対する移動の操作が行われて、操作者の手作業によりバラ硬貨収納部１３６の金種混合の収納部から取り出されたバラ硬貨がバラ硬貨入金口１３１に投入されると、出納機１００は、バラ硬貨入金口１３１に投入されたバラ硬貨を識別部１３２により金種の識別をして、指定された金種の硬貨については包装硬貨処理部１４０の包装ユニット１４１に搬送し、包装ユニット１４１で包装して棒金にして棒金収納部１４２に収納する。また、出納機１００は、指定された金種以外の硬貨については、金種の識別結果に応じてバラ硬貨収納部１３６の金種別の収納部へ振り分けて収納する。
【０１０９】
組み合わせ番号（６）は、出納機１００のバラ硬貨処理部１３０のバラ硬貨収納部１３６の金種混合の収納部から、現金管理装置２００の硬貨収納ドロア２１３、２１４への移動を示している。この組み合わせ番号（６）に対する移動の操作が行われて、操作者の手作業によりバラ硬貨収納部１３６の金種混合の収納部から取り出されたバラ硬貨がバラ硬貨入金口１３１に投入されると、出納機１００は、バラ硬貨入金口１３１に投入されたバラ硬貨を識別部１３２により金種の識別をして、指定された金種の硬貨については包装硬貨処理部１４０の包装ユニット１４１に搬送し、包装ユニット１４１で包装して作成した棒金を棒金出金口１４４に搬出する。この様にして搬出された棒金は操作者の手作業によって連動して電磁ロックが解除された現金管理装置２００の硬貨収納ドロア２１３、２１４に収納されることになる。また、出納機１００は、指定された金種以外の硬貨については、金種の識別結果に応じてバラ硬貨収納部１３６の金種別の収納部へ振り分けて収納する。
【０１１０】
組み合わせ番号（７）は、出納機１００の包装硬貨処理部１４０の棒金収納部１４２から、出納機１００のバラ硬貨処理部１３０のバラ硬貨収納部１３６の金種別の収納部への移動を示している。この組み合わせ番号（７）に対する移動の操作が行われると、出納機１００は、包装硬貨処理部１４０の棒金収納部１４２から棒金を棒金出金口１４４に搬出する。搬出された棒金は、操作者の手作業により包装が解かれてバラ硬貨とされ、該バラ硬貨がバラ硬貨入金口１３１に投入されると、出納機１００は、バラ硬貨入金口１３１に投入されたバラ硬貨を識別部１３２により金種の識別をして、識別結果に応じてバラ硬貨収納部１３６の金種別の収納部へ振り分けて収納する。
【０１１１】
組み合わせ番号（８）は、出納機１００の包装硬貨処理部１４０の棒金収納部１４２から、出納機１００の包装硬貨処理部１４０の棒金一括収納部１４３への移動で自動処理であることを示している。この組み合わせ番号（８）に対する移動の操作が行われると、出納機１００は、包装硬貨処理部１４０の棒金収納部１４２から棒金搬出して、搬出した棒金を包装硬貨処理部１４０の棒金一括収納部１４３へ収納させることを示している。
【０１１２】
組み合わせ番号（９）は、出納機１００の包装硬貨処理部１４０の棒金収納部１４２から、現金管理装置２００の硬貨収納ドロア２１３、２１４への移動を示している。この組み合わせ番号（９）に対する移動の操作が行われると、出納機１００は、包装硬貨処理部１４０の棒金収納部１４２から棒金を棒金出金口１４４に搬出する。搬出された棒金は、操作者の手作業によって連動して電磁ロックが解除された現金管理装置２００の硬貨収納ドロア２１３、２１４に収納されることになる。
【０１１３】
組み合わせ番号（１０）は、出納機１００の包装硬貨処理部１４０の棒金一括収納部１４３から、出納機１００のバラ硬貨処理部１３０のバラ硬貨収納部１３６の金種別の収納部への移動を示している。この組み合わせ番号（１０）に対する移動の操作が行われると、出納機１００は、包装硬貨処理部１４０の棒金一括収納部１４３が外部からアクセス可能にロックを解除する。このようにロックが解除された状態で、操作者による手作業により棒金一括収納部１４３に収納されている棒金が取り出され包装が解かれてバラ硬貨とされ、該バラ硬貨がバラ硬貨入金口１３１に投入されると、出納機１００は、バラ硬貨入金口１３１に投入されたバラ硬貨を識別部１３２により金種の識別をして、識別結果に応じてバラ硬貨収納部１３６の金種別の収納部へ振り分けて収納する。
【０１１４】
組み合わせ番号（１１）は、出納機１００の包装硬貨処理部１４０の棒金一括収納部１４３から、出納機１００の包装硬貨処理部１４０の棒金収納部１４２への移動を示している。この組み合わせ番号（１１）に対する移動の操作が行われると、出納機１００は、包装硬貨処理部１４０の棒金収納部１４２及び棒金一括収納部１４３が外部からアクセス可能にロックを解除する。このようにロックが解除された状態で、操作者による手作業により棒金一括収納部１４３に収納されている棒金は、棒金収納部１４２に移動されることになる。
【０１１５】
組み合わせ番号（１２）は、出納機１００の包装硬貨処理部１４０の棒金一括収納部１４３から、現金管理装置２００の硬貨収納ドロア２１３、２１４への移動を示している。この組み合わせ番号（１２）に対する移動の操作が行われると、出納機１００は、包装硬貨処理部１４０の棒金一括収納部１４３を外部からアクセス可能にロックを解除し、現金管理装置２００は、硬貨収納ドロア２１３、２１４の電磁ロックを解除する。この状態で、操作者による手作業により包装硬貨処理部１４０の棒金一括収納部１４３に収納されている棒金は、現金管理装置２００の硬貨収納ドロア２１３、２１４に移動されることになる。
【０１１６】
組み合わせ番号（１３）は、現金管理装置２００の硬貨収納ドロア２１３、２１４から、出納機１００のバラ硬貨処理部１３０のバラ硬貨収納部１３６の金種別の収納部への移動を示している。この組み合わせ番号（１３）に対する移動の操作が行われると、現金管理装置２００は、硬貨収納ドロア２１３、２１４の電磁ロックを解除する。操作者は、このように電磁ロックが解除された状態で、現金管理装置２００の硬貨収納ドロア２１３、２１４から棒金を取り出し、取り出さした棒金の包装を解いてバラ硬貨処理部１３０のバラ硬貨入金口１３１に投入する。出納機１００は、バラ硬貨入金口１３１に投入されたバラ硬貨を受け付けて、識別部１３２により金種の識別をして、識別結果に応じてバラ硬貨収納部１３６の金種別の収納部へ振り分けて収納する。
【０１１７】
組み合わせ番号（１４）は、現金管理装置２００の硬貨収納ドロア２１３、２１４から、出納機１００の包装硬貨処理部１４０の棒金収納部１４２部への移動を示している。この組み合わせ番号（１４）に対する移動の操作が行われると、出納機１００は、包装硬貨処理部１４０の棒金収納部１４２が外部からアクセス可能にロックを解除し、現金管理装置２００は、硬貨収納ドロア２１３、２１４の電磁ロックを解除する。この状態で、操作者の手作業により現金管理装置２００の硬貨収納ドロア２１３、２１４に収納されていた棒金が、包装硬貨処理部１４０の棒金収納部１４２に移動されることになる。
【０１１８】
なお、組み合わせ番号（４）、（７）、（１０）及び（１３）の移動処理は、移動先としてバラ硬貨処理部１３０のバラ硬貨収納部１３６の金種別の収納部が指定されているが、金種別の収納部がフル状態になっている場合には、バラ硬貨収納部１３６の金種混合の収納部に移動されることになる。また、組み合わせ番号（１）、（５）、（１１）及び（１４）の移動処理は、移動先に包装硬貨処理部１４０の棒金収納部１４２が指定されているが、棒金収納部１４２がフル状態になっている場合には、棒金一括収納部１４３に移動されることになる。
【０１１９】
また、図１２では移動元と移動先を１対１として説明をしたが、図１２に示した移動パターンを組み合わせて１つの移動元から複数の移動先に移動できるようにしてもよい。
【０１２０】
次に、図２に示した出納機１００において出納機１００に収納されている貨幣の現金管理装置２００への移動に係る画面の構成及び画面遷移について、図１３に示す出納機１００の棒金一括収納部１４３に収納されている棒金を出納機１００の棒金収納部１４２及び現金管理装置２００の硬貨収納ドロア２１３、２１４に移動する処理時に表示される画面構成及び画面遷移を一例として説明する。
【０１２１】
図１３（ａ）の画面は、貨幣の移動処理が選択された場合に表示される画面で、紙幣を移動させることを指示するための「紙幣」ボタンと、硬貨を移動させることを指示するための「硬貨」ボタンとが配置される。図１３（ａ）の画面において「硬貨」ボタンが操作されると図１３（ｂ）の画面に遷移する。
【０１２２】
図１３（ｂ）の画面は、出納機１００及び現金管理装置２００の間で硬貨を移動するにあたり移動元の収納部を指定するための画面である。画面最上部には移動元を指定する旨のメッセージが表示され、バラ硬貨処理部１３０のバラ硬貨収納部１３６の金種別の収納部を移動元に指定するための「バラ硬貨収納部（金種別）」ボタンと、バラ硬貨処理部１３０のバラ硬貨収納部１３６の金種混合の収納部を移動元に指定するための「バラ硬貨収納部（金種混合）」ボタンと、包装硬貨処理部１４０の棒金収納部１４２を移動元に指定するための「棒金収納部（金種別）」ボタンと、包装硬貨処理部１４０の棒金一括収納部１４３を移動元に指定するための「棒金収納部（金種混合）」ボタンと、現金管理装置２００の硬貨収納ドロア２１３、２１４を移動元に指定するための「現金管理装置」ボタンとが配置される。図１３（ｂ）の画面で「棒金収納部（金種混合）」ボタンが操作されると図１３（ｃ）の画面に遷移する。
【０１２３】
図１３（ｃ）の画面は、図１３（ｂ）で指定された収納部の硬貨を移動する移動先を指定するための画面である。画面最上部には移動先を指定する旨のメッセージが表示され、出納機１００のバラ硬貨処理部１３０のバラ硬貨収納部１３６の金種別の収納部を移動先に指定するための「バラ硬貨収納部（金種別）」ボタンと、現金管理装置２００の硬貨収納ドロア２１３、２１４を移動先に指定するための「全て現金管理装置」ボタンと、収納スペースが有る限り包装硬貨処理部１４０の棒金収納部１４２に移動し、収納しきれない分については現金管理装置２００の硬貨収納ドロア２１３、２１４に移動することを指示するための「棒金収納部にできるだけ移動し残りを現金管理装置」ボタンと、包装硬貨処理部１４０の棒金収納部１４２に移動する数量と現金管理装置２００の硬貨収納ドロア２１３、２１４に移動する数量を指定する別画面に遷移するための「その他指定」ボタンとが配置される。図１３（ｃ）の画面で「棒金収納部にできるだけ移動し残りを現金管理装置」ボタンが操作されると図１３（ｄ）の画面に遷移する。
【０１２４】
図１３（ｄ）の画面は、棒金一括収納部１４３に収納されている棒金の金種別の本数と、棒金収納部１４２の金種別の収納可能本数及び在高と、現金管理装置２００の硬貨収納ドロア２１３、２１４の収納可能本数及び在高とに基づいて自動で算出された移動明細が表示される。操作者はこの内容に従って手作業で棒金を移動することになる。また、画面の下部には、表示された内容で移動を実行することを指示するための「実行」ボタンと、図１３（ｃ）の画面に戻る為の「戻る」ボタンとが配置される。
【０１２５】
次に、図２に示した出納機１００で行われる実施例１に係る出納機１００から現金管理装置２００への貨幣の移動処理の処理手順について図１４に示すフローチャートを用いて説明する。
【０１２６】
貨幣移動処理部１８ｃは、表示部１１及び操作部１２を用いて貨幣の移動の指示を受け付けると、受け付けた移動元の貨幣の取り出し処理を行う（ステップＳ１０１）。具体的には、図１１及び図１２に対する説明で詳細に記述した通り、移動元と移動先の組み合わせに応じた処理が行われた上で出納機１００から取り出されることになる。ただし、図１１及び図１２に対する説明で詳細に記述した通り、紙幣の移動の組み合わせ番号（１）、（２）、（８）及び（１１）と硬貨の移動の組み合わせ番号（１）、（２）及び（８）では装置外に貨幣が取り出されることはない。
【０１２７】
ステップＳ１０１の貨幣の取出処理が終了して（ステップＳ１０２；Ｙｅｓ）、移動先の指定に出納機１００のいずれかの収納部の指定が含まれている場合（ステップＳ１０３；Ｙｅｓ）には、指定内容に従ってステップＳ１０１で取り出された貨幣の収納処理が行われる（ステップＳ１０４）。具体的には、図１１及び図１２の説明で詳細に記述した通り移動元と移動先の組み合わせに応じた収納処理が行われる。また、図１１及び図１２に対する説明で詳細に記述した通り、紙幣の移動の組み合わせ番号（１）、（２）、（８）及び（１１）と硬貨の移動の組み合わせ番号（１）、（２）及び（８）では装置内部の移動元から移動先に直接移動されることになる。ステップＳ１０１の貨幣の取出処理が終了していない場合（ステップＳ１０２；Ｎｏ）には、ステップＳ１０２に戻ることによって貨幣の取出処理の終了を待ち合わせる。また、移動先の指定に出納機１００のいずれの収納部の指定も含まれていない場合（ステップＳ１０３；Ｎｏ）には、ステップＳ１０７に移行する。
【０１２８】
ステップＳ１０４の出納機１００内の収納部に対する貨幣の収納処理が完了すると（ステップＳ１０５；Ｙｅｓ）、出納機１００は収納部に収納された貨幣の数量が指定された数量と整合するかを判定し（ステップＳ１０６）、正しい数量が収納されていない場合（ステップＳ１０６；Ｎｏ）にはアラート報知を行い（ステップＳ１１２）、ステップＳ１０５に戻る。なおステップＳ１１２ではアラート報知に限らず、収納操作が完了しないなどの態様となっても良い。またステップＳ１０６において出納機１００の収納部に収納された貨幣の数量が指定された数量と整合すると判定され（ステップＳ１０６；Ｙｅｓ）、移動先の指定に現金管理装置２００が含まれている場合（ステップＳ１０７；Ｙｅｓ）には、貨幣移動処理部１８ｃは、現金管理装置２００に対して収納する貨幣の数量の情報を含む貨幣収納要求を送信する（ステップＳ１０８）。移動先の指定に現金管理装置２００が含まれていない場合（ステップＳ１０７；Ｎｏ）には、ステップＳ１０８の処理はスキップしてステップＳ１０９に移行する。
【０１２９】
貨幣移動処理部１８ｃは、ステップＳ１０１で出納機１００内のいずれかの収納部からの貨幣の取出処理及びステップＳ１０４の出納機１００内のいずれかの収納部への貨幣の収納処理に基づいてバラ紙幣在高データ１７ｂ、束紙幣在高データ１７ｃ、バラ硬貨在高データ１７ｄ及び包装硬貨在高データ１７ｅを更新（ステップＳ１０９）し、貨幣移動処理の内容を処理履歴として処理履歴データ１７ａに登録（ステップＳ１１０）して処理を終了する。
【０１３０】
ステップＳ１０４の出納機１００内の収納部に対する収納処理が完了していなくて（ステップＳ１０５；Ｎｏ）、貨幣の移動処理の指示を受け付けてから既に所定時間が経過している場合（ステップＳ１１１；Ｙｅｓ）には、貨幣移動処理部１８ｃは、貨幣の移動に係る操作及び処理が完了していない旨のアラートの報知を行って（ステップＳ１１２）、ステップＳ１０５に戻る。また、貨幣の移動処理の指示を受け付けてからまだ所定時間が経過していない場合（ステップＳ１１１；Ｎｏ）にはステップＳ１１２の処理をスキップしてステップＳ１０５に戻る。
【０１３１】
次に、図２に示した現金管理装置２００で行われる実施例１に係る出納機１００から現金管理装置２００への貨幣の移動処理の処理手順について図１５に示すフローチャートを用いて説明する。
【０１３２】
貨幣移動処理部２０７ｃは、出納機１００から送信される収納する貨幣の数量の情報を含む貨幣収納要求を受け付けて（ステップＳ２０１）、受け付けた貨幣収納要求に対応する貨幣収納処理を行う（ステップＳ２０２）。具体的には、図１１及び図１２に対する説明で詳細に記述した通り、受け付けた貨幣収納要求に応じて紙幣収納ドロア２１１、２１２又は硬貨収納ドロア２１３、２１４の電磁ロックの解除を行うことになる。
【０１３３】
ステップＳ２０３で現金管理装置２００の紙幣収納ドロア２１１、２１２又は硬貨収納ドロア２１３、２１４に対する貨幣の収納が完了すると（ステップＳ２０３；Ｙｅｓ）現金管理装置２００は貨幣収納要求で受け付けた指定数量の貨幣が収納されたかどうかを判定し（ステップＳ２０４）、正しい数量が収納されていない場合（ステップＳ２０４；Ｎｏ）にはアラート報知を行い（ステップＳ２０９）、ステップＳ２０３に戻る。なおステップＳ２０９ではアラート報知に限らず、貨幣を収納するべきドロアが閉状態とならないなどの態様であっても良い。またステップＳ２０４において現金管理装置２００の収納部に収納された貨幣の数量が指定された数量と整合すると判定された場合（ステップＳ２０４；Ｙｅｓ）、貨幣移動処理部２０７ｃは、ステップＳ２０２で解除した電磁ロックをロックする（ステップＳ２０５）。また、貨幣移動処理部２０７ｃは、紙幣収納ドロア２１１、２１２又は硬貨収納ドロア２１３、２１４の収納されている貨幣の在高の検知結果に基づいて在高データ２０６ｂを更新（ステップＳ２０６）すると共に、貨幣収納処理の内容を処理履歴として処理履歴データ２０６ａに登録（ステップＳ２０７）して処理を終了する。
【０１３４】
ステップＳ２０１で受け付けた貨幣収納要求で受け付けた指定数量の貨幣の収納が完了していなくて（ステップＳ２０３；Ｎｏ）、貨幣収納要求を受信してから既に所定時間が経過している場合（ステップＳ２０８；Ｙｅｓ）には、貨幣移動処理部２０７ｃは、貨幣収納要求に応じた貨幣の収納操作が完了していない旨のアラートの報知を行って（ステップＳ２０９）、ステップＳ２０３に戻る。また、貨幣収納要求を受信してからまだ所定時間が経過していない場合（ステップＳ２０８；Ｎｏ）には、ステップＳ２０９の処理をスキップしてステップＳ２０３に戻る。
【０１３５】
次に、図２に示した出納機１００で行われる実施例１に係るバラ硬貨の入金を受け付けて、棒金を作成し、作成した棒金を現金管理装置２００の硬貨収納ドロア２１３、２１４に収納する処理の処理手順について図１６に示すフローチャートを用いて説明する。
【０１３６】
貨幣移動処理部１８ｃは、バラ硬貨を受け付けて棒金を作成し、作成した棒金を現金管理装置２００に収納する旨の指示を受け付けたならば、バラ硬貨入金口１３１で受け付けたバラ硬貨の包装処理を行う（ステップＳ３０１）。具体的には、貨幣移動処理部１８ｃは、バラ硬貨処理部１３０のバラ硬貨入金口１３１で受け付けたバラ硬貨を識別部１３２で金種の判別を行った後に、包装硬貨処理部１４０の包装ユニット１４１に搬送し、包装ユニット１４１において棒金にする。
【０１３７】
貨幣移動処理部１８ｃは、包装ユニット１４１において作成された棒金を棒金出金口１４４に搬出することにより出納機１００外に払い出す（ステップＳ３０２）。貨幣移動処理部１８ｃは、ステップＳ３０２で払い出した棒金の数量に係る情報を含む貨幣収納要求を現金管理装置２００に送信して（ステップＳ３０３）、バラ硬貨を受け付けて棒金を作成し、作成した棒金を現金管理装置２００に収納したことを示す処理履歴を処理履歴データ１７ａに登録（ステップＳ３０４）して処理を終了する。
【０１３８】
なお、図１４、図１５及び図１６で説明した貨幣の移動に係る処理は、出納機１００から現金管理装置２００に貨幣を移動するケースの処理フローについて説明してきたが、本発明はこれに限定されるものではない。例えば、図１１及び図１２でも示したように現金管理装置２００から出納機１００に貨幣を移動する場合においても、出納機１００と現金管理装置２００の主従を逆転して同様のシーケンスにて貨幣の移動に係る処理を行うようにしてもよい。
【０１３９】
上述してきたように、実施例１では、出納機１００と現金管理装置２００の間で手作業を伴う貨幣の移動を行う場合や出納機内の貨幣を移動する場合に、移動元の装置は、移動元から取り出された貨幣の数量を取得し、取得した貨幣の数量に基づいて移動先に収納する貨幣の数量を特定し、特定した移動先に収納する貨幣の数量を含む貨幣収納要求を移動先の装置に送信し、移動先の装置は、収納された貨幣の数量を特定して貨幣収納要求に含まれる移動先に収納する貨幣の数量と一致するか否かを検証し、貨幣収納要求を受け付けてから所定時間が経過しても貨幣収納要求に含まれる移動先に収納する貨幣の数量に対する貨幣の収納が終了しない場合にはアラート報知するよう構成したので、金融機関等の営業店等に配設される出納機１００と現金管理装置２００との間若しくは出納機１００内で貨幣を円滑かつ効率良く移動することができる。
【実施例２】
【０１４０】
実施例１では、出納機１００内の貨幣の在高は出納機１００で管理し、現金管理装置２００の貨幣の在高は現金管理装置２００内で管理するものとした。よって、実施例１の構成で貨幣を出納機１００から現金管理装置２００に移動する場合に、出納機１００で管理される貨幣の在高の減算と、現金管理装置２００の貨幣の在高の加算が同期をとって更新されるわけではない。例えば、現金管理装置２００への収納をし忘れてしまうと、アラートメッセージが表示されるものの、一時的に不整合な状態を招いてしまうことになる。そこで、実施例２では、出納機１００及び現金管理装置２００の在高を、出納機１００で一元的に管理して、出納機１００と現金管理装置２００との間で貨幣を移動する場合に、より厳格に貨幣の移動の完了を確認して在高を更新するような実施例を説明する。
【０１４１】
まず、出納機１００で行われる実施例２に係る出納機１００から現金管理装置２００への貨幣の移動処理の処理手順について図１７に示すフローチャートを用いて説明する。図１７に示すフローチャートは、実施例１の図１４と同じ処理については同じステップ番号を付与し、処理内容に差異のある処理及び追加された処理に新たなステップ番号を付与した。図１７の説明では主に変更又は追加になった処理を説明するものとし、図１４の処理と同じ処理についての説明は省略する。
【０１４２】
図１７に示すフローチャートは、図１４のフローチャートと比較すると図１４で示した在高更新処理（ステップＳ１０９）及び移動処理履歴登録処理（ステップＳ１１０）の内容に差異があり図１７では在高更新処理のステップ番号をＳ５０２、移動処理履歴登録処理のステップ番号をＳ５０３としている。また、ステップＳ１０８の処理の直後に判断処理としてステップＳ５０１と、ステップＳ５０１の判断結果に応じて実施されるステップＳ５０４及びステップＳ５０５が追加となっている。
【０１４３】
移動先の指定に現金管理装置２００が含まれている場合（ステップＳ１０７；Ｙｅｓ）には、貨幣移動処理部１８ｃは、現金管理装置２００に対して収納する貨幣の数量の情報を含む貨幣収納要求を送信する（ステップＳ１０８）。ステップＳ１０８の処理に続いて、貨幣移動処理部１８ｃは、現金管理装置２００から貨幣収納要求に対する貨幣の収納処理が完了したことを示す貨幣収納完了通知を受け付けたか否かの判定を行い（ステップＳ５０１）、貨幣収納完了通知を受け付けている場合（ステップＳ５０１；Ｙｅｓ）には、在高更新処理（ステップＳ５０２）に移行する。実施例２に係る出納機１００では、出納機１００自身の在高と現金管理装置２００の在高も含めて一元的に管理するので、在高更新処理（ステップＳ５０２）は、出納機１００内での貨幣の移動及び出納機１００から現金管理装置２００への貨幣の移動処理が完了したことを確認したうえで、出納機１００自身の在高と現金管理装置２００の在高の更新を一括して行う。また、貨幣移動処理部１８ｃは、出納機１００に係る貨幣の移動内容だけではなく、現金管理装置２００に係る移動内容も含めた移動処理の履歴を処理履歴データ１７ａに登録して（ステップＳ５０３）、処理を終了する。
【０１４４】
貨幣収納完了通知を受け付けていなくて（ステップＳ５０１；Ｎｏ）、貨幣収納要求を送信してから既に所定時間が経過している場合（ステップＳ５０４；Ｙｅｓ）には、貨幣移動処理部１８ｃは、現金管理装置２００において貨幣収納要求に対応する貨幣の収納操作が完了していない旨のアラートの報知を行って（ステップＳ５０５）、ステップＳ５０１に戻る。また、貨幣収納要求を送信してからまだ所定時間が経過していない場合（ステップＳ５０４；Ｎｏ）には、ステップＳ５０５の処理をスキップしてステップＳ５０１に戻る。
【０１４５】
次に、現金管理装置２００で行われる実施例２に係る出納機１００から現金管理装置２００への貨幣の移動処理の処理手順について図１８に示すフローチャートを用いて説明する。図１８に示すフローチャートは、実施例１の図１５と同じ処理については同じステップ番号を付与し、処理内容に差異のある処理に新たなステップ番号を付与した。図１８の説明では実施例１の図１５のフローチャートと差異のある処理を主に説明するものとし、図１５の処理と同じ処理についての説明は省略する。
【０１４６】
図１８に示すフローチャートは、図１５のフローチャートにあった在高更新処理（ステップＳ２０６）と移動処理履歴登録処理（ステップＳ２０７）がなくなって、ドロアロック処理（ステップＳ２０５）に続く貨幣収納完了通知送信処理（ステップＳ６０１）が追加となっている。ステップＳ６０１の貨幣収納完了通知送信処理は、ステップＳ２０１で受け付けた貨幣収納要求に対応する貨幣の収納処理が完了したことを示す貨幣収納完了通知を出納機１００に送信する処理である。
【０１４７】
上述してきたように、実施例２では、出納機１００と現金管理装置２００の間で手作業を伴う貨幣の移動を行う場合に、出納機１００は、出納機１００から取り出された貨幣の数量を取得し、取得した貨幣の数量に基づいて現金管理装置２００に収納する貨幣の数量を特定し、特定した現金管理装置２００に収納する貨幣の数量を含む貨幣収納要求を現金管理装置２００に送信し、現金管理装置２００は、収納された貨幣の数量を特定して貨幣収納要求に含まれる現金管理装置２００に収納する貨幣の数量と一致するか否かを検証し、貨幣収納要求に対応する貨幣の収納処理が完了したら出納機１００に貨幣収納完了通知を返信し、貨幣収納完了通知を受け付けた出納機１００は、出納機１００が管理する出納機１００と現金管理装置２００の在高を更新するよう構成したので、金融機関等の営業店等に配設される出納機１００と現金管理装置２００との間若しくは出納機１００内で貨幣を円滑かつ効率良く移動するとともにより厳格に貨幣の移動に係る処理を厳格に管理することができる。
【０１４８】
なお、上述の実施例１及び実施例２では、出納機１００と現金管理装置２００が１対１で接続された場合の貨幣管理システムを説明してきたが、本発明はこの構成に限定されるものではない。例えば、出納機１００に対して現金管理装置２００が複数接続されていてもよいし、複数の出納機１００に現金管理装置２００が１台接続されている構成であってもよい。
【０１４９】
なお、上述の実施例１及び実施例２では、貨幣移動の際に貨幣の数量が一致することのみを確認するようにする旨を説明してきたが、本発明はこれに限定されない。例えば、束紙幣処理部１２０で、束紙幣の出金時に束紙幣の帯封に印刷された識別情報を読み取って、読み取った識別情報を含む貨幣収納要求を現金管理装置２００に送信し、移動先の現金管理装置２００の紙幣収納ドロア２１１、２１２に収納した束紙幣の帯封に印刷された識別情報を読み取って、貨幣収納要求に含まれる束紙幣の帯封から読み取った識別情報と一致するかをチェックするようにしてもよい。また、例えば、包装硬貨処理部１４０で、棒金の出金時に棒金の包装に印刷された識別情報を読み取って、読み取った識別情報を含む貨幣収納要求を現金管理装置２００に送信し、移動先の現金管理装置２００の硬貨収納ドロア２１３、２１４に収納した棒金の包装に印刷された識別情報を読み取って、貨幣収納要求に含まれる棒金の包装から読み取った識別情報と一致するかをチェックするようにしてもよい。
【０１５０】
また、上述の実施例１及び実施例２では、出納機１００は、バラ紙幣を入出金できるバラ紙幣処理部１１０、束紙幣を入出金できる束紙幣処理部１２０、バラ硬貨を入出金できるバラ硬貨処理部１３０、棒金を出金できる包装硬貨処理部１４０、バラ紙幣を帯封で結束して束紙幣を作成する結束ユニット１２４、バラ硬貨を包装して棒金を作成する包装ユニット１４１などの部位を備えた装置として説明したが、本発明は、これに限定されるものではない。例えば、棒金の入出金が行える部位を有していてもよい。また、これらの部位のうち一部の部位のない縮退された出納機１００であってもよい。また、貨幣の入出金機能を備え、貨幣を計数したり測定したりすることによって数量を特定可能な、貨幣を収納する装置を対象としてもよい。
【０１５１】
また、上述の実施例１及び実施例２では、図１１及び図１２で示したように現金管理装置２００内で貨幣を移動させるケースについては説明しなかったが、本発明はこれに限定されるものではない。例えば、現金管理装置２００の紙幣収納ドロア２１１、２１２の間での紙幣の移動や、硬貨収納ドロア２１３、２１４の間での硬貨の移動についても取り出された貨幣の数量と、収納された貨幣の数量の整合性を確認し、所定時間経過しても整合性が確認されない場合にはアラートを報知するようにしてもよい。なお、上述の実施例１及び実施例２では、貨幣管理装置内で貨幣を移動させる場合に、出納機１００と現金管理装置２００が通信可能に接続されている場合をもって説明したが、本発明はこれに限定されるものではなく、それぞれの装置が単体で使用される場合であってもよい。
【０１５２】
また、上述の実施例１及び実施例２で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１５３】
以上のように、本発明に係る貨幣管理システム、貨幣処理本体装置及び貨幣管理方法は、金融機関等の営業店等に配設される出納機と現金管理装置との間若しくは貨幣処理本体装置内で貨幣を円滑かつ効率良く移動することに適している。
【符号の説明】
【０１５４】
１０  制御装置
１１、２０１  表示部
１２、２０２  操作部
１３、２０３  ＩＤカードリーダ
１４  外部プリンタ
１５  現外ボックス
１６、２０５  通信部
１７、２０６  記憶部
１７ａ、２０６ａ  処理履歴データ
１７ｂ  バラ紙幣在高データ
１７ｃ  束紙幣在高データ
１７ｄ  バラ硬貨在高データ
１７ｅ  包装硬貨在高データ
１８、２０７  制御部
１８ａ、２０７ａ  入出金処理部
１８ｂ、２０７ｂ  回収・補充処理部
１８ｃ、２０７ｃ  貨幣移動処理部
１００  出納機
１１０  バラ紙幣処理部
１１１  バラ紙幣入金口
１１２  入金識別部
１１３、１３３  一時保留部
１１４、１３４  リジェクト部
１１５  バラ紙幣収納部
１１６  出金識別部
１１７  バラ紙幣出金口
１１８  出金リジェクト箱
１１９  スタッカ
１２０  束紙幣処理部
１２１  束紙幣入出金口
１２２  束識別部
１２３  束紙幣収納部
１２４  結束ユニット
１２５  束搬送ユニット
１２６  束紙幣放出口
１３０  バラ硬貨処理部
１３１  バラ硬貨入金口
１３２  識別部
１３５  返却箱
１３６  バラ硬貨収納部
１３７  バラ硬貨出金口
１４０  包装硬貨処理部
１４１  包装ユニット
１４２  棒金収納部
１４３  棒金一括収納部
１４４  棒金出金口
２００  現金管理装置
２０４  報知部
２０６ｂ  在高データ
２１１、２１２  紙幣収納ドロア
２１３、２１４  硬貨収納ドロア
２１５  予備収納ドロア
２２１、２２２、２２３、２２４、２２５、２２６、２２７、２２８、２２９、２３０  紙幣保管容器
２４１、２４２、２４３  硬貨保管容器
【図１】
0006613039.tif 000002
【図２】
0006613039.tif 000003
【図３】
0006613039.tif 000004
【図４】
0006613039.tif 000005
【図５】
0006613039.tif 000006
【図６】
0006613039.tif 000007
【図７】
0006613039.tif 000008
【図８】
0006613039.tif 000009
【図９】
0006613039.tif 000010
【図１０】
0006613039.tif 000011
【図１１】
0006613039.tif 000012
【図１２】
0006613039.tif 000013
【図１３】
0006613039.tif 000014
【図１４】
0006613039.tif 000015
【図１５】
0006613039.tif 000016
【図１６】
0006613039.tif 000017
【図１７】
0006613039.tif 000018
【図１８】
0006613039.tif 000019